(57)【要約】      （修正有）【課題】視角を変えることによってシームレスに変化する色調を楽しめるボールペン用光輝性水性インキ組成物を提供する。【解決手段】少なくとも、水と、金属被覆フィルム粉光輝性顔料と、Ｃ．Ｉ．アシッドイエロー４２、Ｃ．Ｉ．アシッドブルー９、Ｃ．Ｉ．アシッドレッド５２から選択される１種又は２種以上の染料とからなるボールペン用光輝性水性インキ組成物であり、金属被覆フィルム粉光輝性顔料は、インキに含有することで、視角による色相のシームレスな変化を発現させる目的で用いられる。【選択図】なし【特許請求の範囲】
【請求項１】
少なくとも、水と、金属被覆フィルム粉光輝性顔料と、Ｃ．Ｉ．アシッドイエロー４２、Ｃ．Ｉ．アシッドブルー９、Ｃ．Ｉ．アシッドレッド５２から選択される１種又は２種以上の染料とからなるボールペン用光輝性水性インキ組成物。
【発明の詳細な説明】
【技術分野】
【０００１】
本発明は、ボールペンに充填して使用した際の筆跡が、強い光輝性と、見る方向によって色の変化が認知されるボールペン用光輝性水性インキ組成物に関するものである。
【背景技術】
【０００２】
塗膜、フィルム、コンパクトディスクなどにおいて、見る方向や光の当たり方によって、光輝性と色相が変化する、視角依存性のある発色を得る技術は従来から知られている。例えば、視角依存性粒子を配合した液状物を、対象の物品に塗布したり、同粒子を成型用の樹脂に混入させ成形したりする技術や、また、透過性のあるフィルムを積層させたり、表面を微細な凹凸構造にしたりすることで、光の屈折や反射をコントロールするような技術である。このような発色の仕方は、「構造色」などと呼ばれるが、本来、「構造色」は、狭義では、自身が色素を含まないがその構造的な要素による光の反射、吸収から様々な色が発現するものを意味するところ、近年は自身が色素を含む場合にも広く使用される語となっており、単に、視角によって、色の色相や、彩度、明度、強さなどが異なって認知される場合にも適用されている。このような視角の変化に伴い認知される色や光輝感が変化するものは、見る者にとって興味深く華やかな印象を与える。
特許文献１及び特許文献２には、パール顔料やホログラム顔料などの光輝性顔料をインキ中に添加し、これらの光輝性顔料による視角により印象の異なる筆跡が得られるインキ組成物が開示されている。
また、特許文献３には有彩色に着色された光輝性顔料と、光輝性顔料を着色した色の色相と異なる色相の着色剤をインキ中に併用することで、筆跡中で筆跡の色とは異なる別の色がキラキラ輝く興趣ある筆跡が得られるものが開示されている。
【先行技術文献】
【特許文献】
【０００３】
【特許文献１】特開２００３−２５３１８７号公報
【特許文献２】特開２００７−０３１６８８号公報
【特許文献３】特開２００３−０１２９７３号公報
【発明の概要】
【発明が解決しようとする課題】
【０００４】
特許文献１及び特許文献２に記載の発明においては、視角依存性粒子の光輝性や視角による色相変化のみによって、筆跡の光輝性や視角による色相変化を得る手法が開示されている。この手法では、充分な光輝性や視角による色相変化を得るためには、筆跡の上を視角依存性粒子で覆いつくす必要があるが、視角依存性粒子の添加量がインキ中の固形分の量に影響するので、インキの粘度や視角依存性粒子の沈降、凝集しないような現実的な添加量では充分な光輝性の変化と色相の変化を得ることができないものであった。
特許文献３の実施例に開示されたインキは、光輝性顔料の色相と下地の色相は離れた色相のものを採用し、筆跡中で筆跡の色とは異なる別の色がキラキラ輝く興趣ある筆跡が得られるものなので、下地となる筆跡部分の色相と光輝性顔料の色相と輝きとを同時に視認するものであり、視角を変えることによって強い光輝性と、シームレスに変化する色調を楽しめる筆跡とは異なるものである。
【０００５】
本発明の目的は、視角を変えることによってシームレスに変化する色調を楽しめるボールペン用光輝性水性インキ組成物を提供することにある。
【課題を解決するための手段】
【０００６】
少なくとも、水と、金属被覆フィルム粉光輝性顔料と、Ｃ．Ｉ．アシッドイエロー４２、Ｃ．Ｉ．アシッドブルー９、Ｃ．Ｉ．アシッドレッド５２から選択される１種又は２種以上の染料とからなるボールペン用光輝性水性インキ組成物を要旨とする。
【発明の効果】
【０００７】
本発明のボールペン用光輝性水性インキ組成物は、金属被覆フィルム粉光輝性顔料の色相と、前記インキ組成物から金属被覆フィルム粉光輝性顔料を除いた染料インキ組成物の色相とが、離れている場合でも、Ｃ．Ｉ．アシッドイエロー４２、Ｃ．Ｉ．アシッドブルー９、Ｃ．Ｉ．アシッドレッド５２の影響で、筆跡において、金属被覆フィルム粉光輝性顔料と下地の染料インキ組成物による着色部分との境界部分の色相が強く認識されず、連続した色相の変化として視認され、あわせて金属被覆フィルム粉光輝性顔料による視角によって反射光量が連続的に変化することが、反射光を透過する染料の着色作用によって相乗的に混合されて認識され、視角を変えることによってシームレスに変化する色調を有するものである。
【発明を実施するための形態】
【０００８】
前記金属被覆フィルム粉光輝性顔料は、インキに含有することで、視角による色相のシームレスな変化を発現させる目的で用いられる。
【０００９】
具体的には、金属被覆フィルム粉光輝性顔料として、エルジーｎｅｏ  Ｒ−ＧＯＬＤ  ＃３５、エルジーｎｅｏ  Ｂ−ＧＯＬＤ  ＃３５、エルジーｎｅｏ  Ｓ−ＧＯＬＤ  ＃３５、エルジーｎｅｏ  Ｒ−ＧＯＬＤ  ＃１００、エルジーｎｅｏ  Ｂ−ＧＯＬＤ  ＃１００、エルジーｎｅｏ  Ｓ−ＧＯＬＤ  ＃１００、エルジーｎｅｏ  ＲＥＤ  ＃１００、エルジーｎｅｏ  ＢＬＵＥ  ＃１００、エルジーｎｅｏ  ＧＲＥＥＮ  ＃１００、エルジーｎｅｏ  ＶＩＯＬＥＴ  ＃１００、エルジーｎｅｏ  ＢＬＡＣＫ  ＃１００、エルジーｎｅｏ  ＣＯＰＰＥＲ  ＃１００、エルジーｎｅｏ  ＰＩＮＫ  ＃１００、エルジーｎｅｏ  ＹＥＬＬＯＷ  ＃１００、エルジーｎｅｏ  Ｒ−ＧＯＬＤ  ＃１５０、エルジーｎｅｏ  Ｂ−ＧＯＬＤ  ＃１５０、エルジーｎｅｏ  Ｓ−ＧＯＬＤ  ＃１５０、エルジーｎｅｏ  ＲＥＤ  ＃１５０、エルジーｎｅｏ  ＢＬＵＥ  ＃１５０、エルジーｎｅｏ  ＧＲＥＥＮ  ＃１５０、エルジーｎｅｏ  ＶＩＯＬＥＴ  ＃１５０、エルジーｎｅｏ  ＢＬＡＣＫ  ＃１５０、エルジーｎｅｏ  ＣＯＰＰＥＲ  ＃１５０、エルジーｎｅｏ  ＰＩＮＫ  ＃１５０、エルジーｎｅｏ  ＹＥＬＬＯＷ  ＃１５０、エルジーｎｅｏ  Ｒ−ＧＯＬＤ  ＃２００、エルジーｎｅｏ  Ｂ−ＧＯＬＤ  ＃２００、エルジーｎｅｏ  Ｓ−ＧＯＬＤ  ＃２００、エルジーｎｅｏ  ＲＥＤ  ＃２００、エルジーｎｅｏ  ＢＬＵＥ  ＃２００、エルジーｎｅｏ  ＧＲＥＥＮ  ＃２００、エルジーｎｅｏ  ＶＩＯＬＥＴ  ＃２００、エルジーｎｅｏ  ＢＬＡＣＫ  ＃２００、エルジーｎｅｏ  ＣＯＰＰＥＲ  ＃２００、エルジーｎｅｏ  ＰＩＮＫ  ＃２００、エルジーｎｅｏ  ＹＥＬＬＯＷ  ＃２００、エルジーｎｅｏ  Ｒ−ＧＯＬＤ  ＃３２５、エルジーｎｅｏ  Ｂ−ＧＯＬＤ  ＃３２５、エルジーｎｅｏ  Ｓ−ＧＯＬＤ  ＃３２５、エルジーｎｅｏ  ＲＥＤ  ＃３２５、エルジーｎｅｏ  ＢＬＵＥ  ＃３２５、エルジーｎｅｏ  ＧＲＥＥＮ  ＃３２５、エルジーｎｅｏ  ＶＩＯＬＥＴ  ＃３２５、エルジーｎｅｏ  ＢＬＡＣＫ  ＃３２５、エルジーｎｅｏ  ＣＯＰＰＥＲ  ＃３２５、エルジーｎｅｏ  ＰＩＮＫ  ＃３２５、エルジーｎｅｏ  ＹＥＬＬＯＷ  ＃３２５、エルジーｎｅｏ  ＳＩＬＶＥＲ  ＃３２５、エルジーｎｅｏ  Ｒ−ＧＯＬＤ  ＃５００、エルジーｎｅｏ  Ｂ−ＧＯＬＤ  ＃５００、エルジーｎｅｏ  Ｓ−ＧＯＬＤ  ＃５００（以上、尾池イメージング（株）製）、ダイヤモンドピース  ＬＧ  Ｇｏｌｄ  Ｎｏ．５５、ダイヤモンドピース  ＤＧ  Ｇｏｌｄ  Ｎｏ．５５、ダイヤモンドピース  Ｇｒｅｅｎ  Ｎｏ．５５、ダイヤモンドピース  Ｂｌｕｅ  Ｎｏ．５５、ダイヤモンドピース  Ｒｅｄ  Ｎｏ．５５、ダイヤモンドピース  Ｍａｒｏｏｎ  Ｎｏ．５５、ダイヤモンドピース  Ｏｃｅａｎ  Ｇｒｅｅｎ  Ｎｏ．５５、ダイヤモンドピース  Ｓｋｙ  Ｂｌｕｅ  Ｎｏ．５５、ダイヤモンドピース  Ｂｌａｃｋ  Ｎｏ．５５、ダイヤモンドピース  Ｐｉｎｋ  Ｎｏ．５５、ダイヤモンドピース  Ｖｉｏｌｅｔ  Ｎｏ．５５、ダイヤモンドピース  Ｅｍｅｒａｌｄ  Ｎｏ．５５、ダイヤモンドピース  Ｃｏｐｐｅｒ  Ｎｏ．５５、ダイヤモンドピース  ＬＧ  Ｇｏｌｄ  Ｈ２５、ダイヤモンドピース  ＤＧ  Ｇｏｌｄ  Ｈ２５、ダイヤモンドピース  Ｇｒｅｅｎ  Ｈ２５、ダイヤモンドピース  Ｂｌｕｅ  Ｈ２５、ダイヤモンドピ���ス  Ｒｅｄ  Ｈ２５、ダイヤモンドピース  Ｍａｒｏｏｎ  Ｈ２５、ダイヤモンドピース  Ｏｃｅａｎ  Ｇｒｅｅｎ  Ｈ２５、ダイヤモンドピース  Ｓｋｙ  Ｂｌｕｅ  Ｈ２５、ダイヤモンドピース  Ｂｌａｃｋ  Ｈ２５、ダイヤモンドピース  Ｐｉｎｋ  Ｈ２５、ダイヤモンドピース  Ｖｉｏｌｅｔ  Ｈ２５、ダイヤモンドピース  Ｅｍｅｒａｌｄ  Ｈ２５、ダイヤモンドピース  Ｃｏｐｐｅｒ  Ｈ２５、ダイヤモンドピース  ＬＧ  Ｇｏｌｄ  Ｈ５５、ダイヤモンドピース  ＤＧ  Ｇｏｌｄ  Ｈ５５、ダイヤモンドピース  Ｇｒｅｅｎ  Ｈ５５、ダイヤモンドピース  Ｂｌｕｅ  Ｈ５５、ダイヤモンドピース  Ｒｅｄ  Ｈ５５、ダイヤモンドピース  Ｍａｒｏｏｎ  Ｈ５５、ダイヤモンドピース  Ｏｃｅａｎ  Ｇｒｅｅｎ  Ｈ５５、ダイヤモンドピース  Ｓｋｙ  Ｂｌｕｅ  Ｈ５５、ダイヤモンドピース  Ｂｌａｃｋ  Ｈ５５、ダイヤモンドピース  Ｐｉｎｋ  Ｈ５５、ダイヤモンドピース  Ｖｉｏｌｅｔ  Ｈ５５、ダイヤモンドピース  Ｅｍｅｒａｌｄ  Ｈ５５、ダイヤモンドピース  Ｃｏｐｐｅｒ  Ｈ５５、ダイヤモンドピース  ＬＧ  Ｇｏｌｄ  ＣＯ−４０ＵＣ、ダイヤモンドピース  ＤＧ  Ｇｏｌｄ  ＣＯ−４０ＵＣ、ダイヤモンドピース  Ｇｒｅｅｎ  ＣＯ−４０ＵＣ、ダイヤモンドピース  Ｂｌｕｅ  ＣＯ−４０ＵＣ、ダイヤモンドピース  Ｒｅｄ  ＣＯ−４０ＵＣ、ダイヤモンドピース  Ｐｉｎｋ  ＣＯ−４０ＵＣ、ダイヤモンドピース  Ｌａｖｅｎｄｅｒ  ＣＯ−４０ＵＣ（以上、ダイヤ工業（株）製）などが挙げられる。
これら金属被覆フィルム粉光輝性顔料は、単独、あるいは２種以上混合して使用しても良い。
【００１０】
また、金属被覆フィルム粉光輝性顔料の中でも、顔料で着色した合成樹脂フィルム上に、アルミニウムの薄膜を真空蒸着法にて形成し、さらにアルミニウムの薄膜上に、顔料で着色した合成樹脂の薄膜を形成した合成樹脂−金属−合成樹脂の複合フィルムを粉砕した金属被覆フィルム粉光輝性顔料が、高い光輝性に、鮮明な色調が加わり好ましい。
具体的には、エルジーｎｅｏ  ＧＲＥＥＮ  ＃３２５、エルジーｎｅｏ  ＢＬＵＥ  ＃３２５、エルジーｎｅｏ  Ｂ−ＧＯＬＤ  ＃３２５、エルジーｎｅｏ  ＲＥＤ  ＃３２５、エルジーｎｅｏ  ＣＯＰＰＥＲ  ＃３２５、エルジーｎｅｏ  ＳＩＬＶＥＲ  ＃３２５（以上尾池イメージング（株）製）が挙げられる。
金属被覆フィルム粉光輝性顔料のインキ組成物中における含有量は、インキ組成物全量に対し０．５重量％以上２０．０重量％以下が好ましい。０．５重量％より少ないと視角による色相のシームレスな変化が得られにくくなり、２０．０重量％より多いと、固形分が増加することでインキの粘度が極端に上昇し書き味が低下しやすくなる。さらに２．０重量％以上１０．０重量％以下であると、筆跡上で視角による色相のシームレスな変化を生み出すと共に、固形分の増加による粘度上昇が起こりにくくなる。
また平均粒子径は、２０μｍ以上１００μｍ以下であると、筆跡に高い光輝性を付与でき、かつペン先の目詰まりも起こしにくいので好ましい。
本発明における平均粒子径は、（株）島津製作所製ナノ粒子径分布測定装置（ＳＡＬＤ−７１００（レーザー回折法））にて測定した体積分布基準による平均粒子径（体積平均径）である。
【００１１】
シームレスな筆跡を得るために、Ｃ．Ｉ．アシッドイエロー４２、Ｃ．Ｉ．アシッドブルー９、Ｃ．Ｉ．アシッドレッド５２の染料を使用する。
具体的にはウォーターイエロー６（Ｃ．Ｉ．アシッドイエロー４２）、ウォーターイエロー６Ｃ（Ｃ．Ｉ．アシッドイエロー４２）、ウォーターブルー９（Ｃ．Ｉ．アシッドブルー９）（以上、オリエント化学工業（株）製）、ダイワブルーＮｏ．１（Ｃ．Ｉ．アシッドブルー９）、ダイワレッドＮｏ．１０６ＷＢ（Ｃ．Ｉ．アシッドレッド５２）（以上、ダイワ化成（株）製）などが挙げられる。
インキ組成物中におけるこれらの染料の含有量は、インキ組成物全量に対し０．１重量％以上３０．０重量％以下が好ましい。０．１重量％以上であるとシームレスな筆跡が得られにくく、３０．０重量％以上であると経時による筆記カスレが発生しやすい。
【００１２】
上記着色剤のほかに、顔料や染料を併用することができる。
具体的には、金属粉顔料として、スーパーファインＮｏ．２２０００、同Ｎｏ．１８０００、ファインＮｏ．９００、同８００（以上、大和金属粉工業（株）製）、ＡＡ１２、ＡＡ８、Ｎｏ．９００、Ｎｏ．１８００（以上、福田金属箔粉工業（株）製）、アルミ粉１０００、同２７００（以上、中塚金属箔粉工業（株）製）などのアルミニウム粉顔料や、アルミニウム粉顔料を高沸点の石油系溶剤（ミネラルスピリットなど）とステアリン酸などの減摩剤とを混合し、粉砕し、研磨し、非常に薄い鱗片状のアルミニウム微粒子とした、スーパーファインＮｏ．２２０００ＷＮ、同Ｎｏ．１８００ＷＮ（以上、大和金属粉工業（株）製）、ＷＢ０２３０、ＷＸＭ０６３０、フレンドカラーＤ４５２ＢＬ、フレンドカラーＤ４６２ＢＬ、フレンドカラーＤ８５１ＢＬ、フレンドカラーＤ４５１ＲＥ、フレンドカラーＤ４６２ＲＥ、フレンドカラーＤ１１１ＲＥ、フレンドカラーＤ４５２ＹＥ、フレンドカラーＤ４６２ＹＥ、フレンドカラーＤ８５１ＹＥ（以上、東洋アルミニウム（株）製）などのアルミニウムペーストや、ＰａｌｅＧｏｌｄ  Ｅ５、同２Ｌ５、ＲｉｃｈＧｏｌｄ  Ｌ７、同３Ｌ７、ＥＣｏｐｐｅｒ（以上、福田金属箔粉工業（株）製）などの銅及び銅合金粉顔料や、ステンレス鋼粉顔料、錫粉顔料、亜鉛粉顔料、ニッケル粉顔料、金粉顔料、銀粉顔料などや、これらの混合粉顔料やこれらの金属の合金粉顔料が挙げられる。
また、金属被覆ガラスフレーク顔料としては、メタシャインＭＴ１０３０ＧＰ、メタシャインＭＴ２０８０ＧＰ、メタシャイン２０２５ＰＳ、メタシャイン１０３０ＰＳ、メタシャイン２０８０ＰＳ、メタシャイン５０９０ＰＳ、メタシャイン５１５０ＰＳ、メタシャイン５２３０ＰＳ、メタシャイン５４８０ＰＳ（以上、日本板硝子（株）製）などが挙げられる。
これら金属粉顔料や金属被覆ガラスフレーク顔料などは、単独、あるいは２種以上混合して使用しても良い。
【００１３】
染料としては、従来の水性インキや油性インキなどに用いられる直接染料、酸性染料、塩基性染料などを用いることができる。
具体的には、ジャパノールファストブラックＤコンク（Ｃ．Ｉ．ダイレクトブラック１７）、ウォーターブラック１００Ｌ（Ｃ．Ｉ．ダイレクトブラック１９）、ウォーターブラックＬ−２００（Ｃ．Ｉ．ダイレクトブラック１９）、ダイレクトファストブラックＢ（Ｃ．Ｉ．ダイレクトブラック２２）、ダイレクトファストブラックＡＢ（Ｃ．Ｉ．ダイレクトブラック３２）、ダイレクトディープブラックＥＸ（Ｃ．Ｉ．ダイレクトブラック３８）、ダイレクトファストブラックコンク（Ｃ．Ｉ．ダイレクトブラック５１）、カヤラススプラグレイＶＧＮ（Ｃ．Ｉ．ダイレクトブラック７１）、カヤラスダイレクトブリリアントイエローＧ（Ｃ．Ｉ．ダイレクトイエロー４）、ダイレクトファストイエロー５ＧＬ（Ｃ．Ｉ．ダイレクトイエロー２６）、アイゼンプリムライエローＧＣＬＨ（Ｃ．Ｉ．ダイレクトイエロー４４）、ダイレクトファストイエローＲ（Ｃ．Ｉ．ダイレクトイエロー５０）、アイゼンダイレクトファストレッドＦＨ（Ｃ．Ｉ．ダイレクトレッド１）、ニッポンファストスカーレットＧＳＸ（Ｃ．Ｉ．ダイレクトレッド４）、ダイレクトファストスカーレット４ＢＳ（Ｃ．Ｉ．ダイレクトレッド２３）、アイゼンダイレクトローデュリンＢＨ（Ｃ．Ｉ．ダイレクトレッド３１）、ダイレクトスカーレットＢ（Ｃ．Ｉ．ダイレクトレッド３７）、カヤクダイレクトスカーレット３Ｂ（Ｃ．Ｉ．ダイレクトレッド３９）、アイゼンプリムラピンク２ＢＬＨ（Ｃ．Ｉ．ダイレクトレッド７５）、スミライトレッドＦ３Ｂ（Ｃ．Ｉ．ダイレクトレッド８０）、アイゼンプリムラレッド４ＢＨ（Ｃ．Ｉ．ダイレクトレッド８１）、カヤラススプラルビンＢＬ（Ｃ．Ｉ．ダイレクトレッド８３）、カヤラスライトレッドＦ５Ｇ（Ｃ．Ｉ．ダイレクトレッド２２５）、カヤラスライトレッドＦ５Ｂ（Ｃ．Ｉ．ダイレクトレッド２２６）、カヤラスライトローズＦＲ（Ｃ．Ｉ．ダイレクトレッド２２７）、ダイレクトスカイブルー６Ｂ（Ｃ．Ｉ．ダイレクトブルー１）、ダイレクトスカイブルー５Ｂ（Ｃ．Ｉ．ダイレクトブルー１５）、スミライトスプラブルーＢＲＲコンク（Ｃ．Ｉ．ダイレクトブルー７１）、ダイボーゲンターコイズブルーＳ（Ｃ．Ｉ．ダイレクトブルー８６）、ウォーターブルー＃３（Ｃ．Ｉ．ダイレクトブルー８６）、カヤラスターコイズブルーＧＬ（Ｃ．Ｉ．ダイレクトブルー８６）、カヤラススプラブルーＦＦ２ＧＬ（Ｃ．Ｉ．ダイレクトブルー１０６）、カヤラススプラターコイズブルーＦＢＬ（Ｃ．Ｉ．ダイレクトブルー１９９）などの直接染料や、アシッドブルーブラック１０Ｂ（Ｃ．Ｉ．アシッドブラック１）、ニグロシン（Ｃ．Ｉ．アシッドブラック２）、スミノールミリングブラック８ＢＸ（Ｃ．Ｉ．アシッドブラック２４）、カヤノールミリングブラックＶＬＧ（Ｃ．Ｉ．アシッドブラック２６）、スミノールファストブラックＢＲコンク（Ｃ．Ｉ．アシッドブラック３１）、ミツイナイロンブラックＧＬ（Ｃ．Ｉ．アシッドブラック５２）、アイゼンオパールブラックＷＨエクストラコンク（Ｃ．Ｉ．アシッドブラック５２）、スミランブラックＷＡ（Ｃ．Ｉ．アシッドブラック５２）、ラニルブラックＢＧエクストラコンク（Ｃ．Ｉ．アシッドブラック１０７）、カヤノールミリングブラックＴＬＢ（Ｃ．Ｉ．アシッドブラック１０９）、スミノールミリングブラックＢ（Ｃ．Ｉ．アシッドブラック１０９）、カヤノールミリングブラックＴＬＲ（Ｃ．Ｉ．アシッドブラック１１０）、アイゼンオパールブラックニューコンク（Ｃ．Ｉ．アシッドブラック１１９）、ウォーターブラック１８７−Ｌ（Ｃ．Ｉ．アシッドブラック１５４）、カヤクアシッドブリリアントフラビンＦＦ（Ｃ．Ｉ．アシッドイエロー７：１）、カヤシルイエローＧＧ（Ｃ．Ｉ．アシッドイエロー１７）、キシレンライトイエロー２Ｇ１４０％（Ｃ．Ｉ．アシッドイエロー１７）、スミノールレベリングイエローＮＲ（Ｃ．Ｉ．アシッドイエロー１９）、ダイワタートラジン（Ｃ．Ｉ．アシッドイエロー２３）、カヤクタートラジン（Ｃ．Ｉ．アシッドイエロー２３）、スミノールファストイエローＲ（Ｃ．Ｉ．アシッドイエロー２５）、ダイアシッドライトイエロー２ＧＰ（Ｃ．Ｉ．アシッドイエロー２９）、スミノールミリングイエロー（Ｃ．Ｉ．アシッドイエロー３８）、カヤノールイエローＮＦＧ（Ｃ．Ｉ．アシッドイエロー４９）、スミノールミリングイエロー３Ｇ（Ｃ．Ｉ．アシッドイエロー７２）、スミノールファストイエローＧ（Ｃ．Ｉ．アシッドイエロー６１）、スミノールミリングイエローＧ（Ｃ．Ｉ．アシッドイエロー７８）、カヤノールイエローＮ５Ｇ（Ｃ．Ｉ．アシッドイエロー１１０）、スミノールミリングイエロー４Ｇ２００％（Ｃ．Ｉ．アシッドイエロー１４１）、カヤノールイエローＮＧ（Ｃ．Ｉ．アシッドイエロー１３５）、カヤノールミリングイエロー５ＧＷ（Ｃ．Ｉ．アシッドイエロー１２７）、カヤノールミリングイエロー６ＧＷ（Ｃ．Ｉ．アシッドイエロー１４２）、スミトモファストスカーレットＡ（Ｃ．Ｉ．アシッドレッド８）、カヤクシルクスカーレット（Ｃ．Ｉ．アシッドレッド９）、ソーラールビンエクストラ（Ｃ．Ｉ．アシッドレッド１４）、ダイワニューコクシン（Ｃ．Ｉ．アシッドレッド１８）、ウォーターレッド１（Ｃ．Ｉ．アシッドレッド１８）、アイゼンボンソーＲＨ（Ｃ．Ｉ．アシッドレッド２６）、ダイワ赤色２号（Ｃ．Ｉ．アシッドレッド２７）、スミノールレベリングブリリアントレッドＳ３Ｂ（Ｃ．Ｉ．アシッドレッド３５）、カヤシルルビノール３ＧＳ（Ｃ．Ｉ．アシッドレッド３７）、アイゼンエリスロシン（Ｃ．Ｉ．アシッドレッド５１）、スミノールレベリングルビノール３ＧＰ（Ｃ．Ｉ．アシッドレッド５７）、ダイアシッドアリザリンルビノールＦ３Ｇ２００％（Ｃ．Ｉ．アシッドレッド８２）、アイゼンエオシンＧＨ（Ｃ．Ｉ．アシッドレッド８７）、ダイワレッドＮｏ．１０４ＷＢ（Ｃ．Ｉ．アシッドレッド９２）、アイゼンアシッドフロキシンＰＢ（Ｃ．Ｉ．アシッドレッド９２）、ローズベンガル（Ｃ．Ｉ．アシッドレッド９４）、カヤノールミリングスカーレットＦＧＷ（Ｃ．Ｉ．アシッドレッド１１１）、カヤノールミリングルビン３ＢＷ（Ｃ．Ｉ．アシッドレッド１２９）、スミノオールミリングブリリアントレッド３ＢＮコンク（Ｃ．Ｉ．アシッドレッド１３１）、スミノールミリングブリリアントレッドＢＳ（Ｃ．Ｉ．アシッドレッド１３８）、アイゼンオパールピンクＢＨ（Ｃ．Ｉ．アシッドレッド１８６）、スミノールミリングブリリアントレッドＢコンク（Ｃ．Ｉ．アシッドレッド２４９）、カヤクアシッドブリリアントレッド３ＢＬ（Ｃ．Ｉ．アシッドレッド２５４）、カヤクアシッドブリリドブリリアントレッドＢＬ（Ｃ．Ｉ．アシッドレッド２６５）、カヤノールミリングレッドＧＷ（Ｃ．Ｉ．アシッドレッド２７６）、ミツイアシッドバイオレット６ＢＮ（Ｃ．Ｉ．アシッドバイオレット１５）、ミツイアシッドバイオレットＢＮ（Ｃ．Ｉ．アシッドバイオレット１７）、スミトモパテントピュアブルーＶＸ（Ｃ．Ｉ．アシッドブルー１）、ウォーターブルー＃１０６（Ｃ．Ｉ．アシッドブルー１）、パテントブルーＡＦ（Ｃ．Ｉ．アシッドブルー７）、スプラノールブルーＢ（Ｃ．Ｉ．アシッドブルー１５）、オリエントソルブルブルーＯＢＣ（Ｃ．Ｉ．アシッドブルー２２）、スミノールレベリングブルー４ＧＬ（Ｃ．Ｉ．アシッドブルー２３）、ミツイナイロンファストブルーＧ（Ｃ．Ｉ．アシッドブルー２５）、カヤシルブルーＡＧＧ（Ｃ．Ｉ．アシッドブルー４０）、カヤシルブルーＢＲ（Ｃ．Ｉ．アシッドブルー４１）、ミツイアリザリンサフィロールＳＥ（Ｃ．Ｉ．アシッドブルー４３）、スミノールレベリングスカイブルーＲエクストラコンク（Ｃ．Ｉ．アシッドブルー６２）、ミツイナイロンファストスカイブルーＢ（Ｃ．Ｉ．アシッドブルー７８）、スミトモブリリアントインドシアニン６Ｂｈ／ｃ（Ｃ．Ｉ．アシッドブルー８３）、サンドランシアニンＮ−６Ｂ３５０％（Ｃ．Ｉ．アシッドブルー９０）、ウォーターブルー＃１１５（Ｃ．Ｉ．アシッドブルー９０）、オリエントソルブルブルーＯＢＢ（Ｃ．Ｉ．アシッドブルー９３）、スミトモブリリアントブルー５Ｇ（Ｃ．Ｉ．アシッドブルー１０３）、カヤノールミリングウルトラスカイＳＥ（Ｃ．Ｉ．アシッドブルー１１２）、カヤノールミリングシアニン５Ｒ（Ｃ．Ｉ．アシッドブルー１１３）、アイゼンオパールブルー２ＧＬＨ（Ｃ．Ｉ．アシッドブルー１５８）、ダイワギニアグリーンＢ（Ｃ．Ｉ．アシッドグリーン３）、アシッドブリリアントミリンググリーンＢ（Ｃ．Ｉ．アシッドグリーン９）、ダイワグリーン＃７０（Ｃ．Ｉ．アシッドグリーン１６）、カヤノールシアニングリーンＧ（Ｃ．Ｉ．アシッドグリーン２５）、スミノールミリンググリーンＧ（Ｃ．Ｉ．アシッドグリーン２７）などの酸性染料、アイゼンカチロンイエロー３ＧＬＨ（Ｃ．Ｉ．ベーシックイエロー１１）、アイゼンカチロンブリリアントイエロー５ＧＬＨ（Ｃ．Ｉ．ベーシックイエロー１３）、スミアクリルイエローＥ−３ＲＤ（Ｃ．Ｉ．ベーシックイエロー１５）、マキシロンイエロー２ＲＬ（Ｃ．Ｉ．ベーシックイエロー１９）、アストラゾンイエロー７ＧＬＬ（Ｃ．Ｉ．ベーシックイエロー２１）、カヤクリルゴールデンイエローＧＬ−ＥＤ（Ｃ．Ｉ．ベーシックイエロー２８）、アストラゾンイエロー５ＧＬ（Ｃ．Ｉ．ベーシックイエロー５１）、アイゼンカチロンオレンジＧＬＨ（Ｃ．Ｉ．ベーシックオレンジ２１）、アイゼンカチロンブラウン３ＧＬＨ（Ｃ．Ｉ．ベーシックオレンジ３０）、ローダミン６ＧＣＰ（Ｃ．Ｉ．ベーシックレッド１）、アイゼンアストラフロキシン（Ｃ．Ｉ．ベーシックオレンジ１２）、スミアクリルブリリアントレッドＥ−２Ｂ（Ｃ．Ｉ．ベーシックオレンジ１５）、アストラゾンレッドＧＴＬ（Ｃ．Ｉ．ベーシックオレンジ１８）、アイゼンカチロンブリリアントピンクＢＧＨ（Ｃ．Ｉ．ベーシックオレンジ２７）、マキシロンレッドＧＲＬ（Ｃ．Ｉ．ベーシックオレンジ４６）、アイゼンメチルバイオレット（Ｃ．Ｉ．ベーシックバイオレット１）、アイゼンクリスタルバイオレット（Ｃ．Ｉ．ベーシックバイオレット３）、アイゼンローダミンＢ（Ｃ．Ｉ．ベーシックバイオレット１０）、アストラゾンブルーＧ（Ｃ．Ｉ．ベーシックブルー１）、アストラゾンブルーＢＧ（Ｃ．Ｉ．ベーシックブルー３）、メチレンブルー（Ｃ．Ｉ．ベーシックブルー９）、マキシロンブルーＧＲＬ（Ｃ．Ｉ．ベーシックブルー４１）、アイゼンカチロンブルーＢＲＬＨ（Ｃ．Ｉ．ベーシックブルー５４）、アイゼンダイヤモンドグリーンＧＨ（Ｃ．Ｉ．ベーシックグリーン１）、アイゼンマラカイトグリーン（Ｃ．Ｉ．ベーシックグリーン４）、ビスマルクブラウンＧ（Ｃ．Ｉ．ベーシックブラウン１）などの塩基性染料が挙げられる。
前記染料は、単独、あるいは２種以上混合して使用しても良い。またインキ組成物中における染料の含有量は、インキ組成物全量に対し０．１重量％以上３０．０重量％以下が好ましい。
【００１４】
顔料としては、従来の水性インキや油性インキなどに用いられるアゾ系顔料、ニトロソ系顔料、ニトロ系顔料、塩基性染料系顔料、酸性染料系顔料、建て染め染料系顔料、媒染染料系顔料、天然染料系顔料などの有機系顔料、黄土、バリウム黄、紺青、カドミウムレッド、硫酸バリウム、酸化チタン、弁柄、鉄黒、カーボンブラックなどの無機顔料などが挙げられる。
具体的には、アニリンブラック（Ｃ．Ｉ．５０４４０）、シアニンブラック、ナフトールイエローＳ（Ｃ．Ｉ．１０３１６）、ハンザイエロー１０Ｇ（Ｃ．Ｉ．１１７１０）、ハンザイエロー５Ｇ（Ｃ．Ｉ．１１６６０），ハンザイエロー３Ｇ（Ｃ．Ｉ．１１６７０）、ハンザイエローＧ（Ｃ．Ｉ．１１６８０），ハンザイエローＧＲ（Ｃ．Ｉ．１１７３０）、ハンザイエローＡ（Ｃ．Ｉ．１１７３５）、ハンザイエローＲＮ（Ｃ．Ｉ．１１７４０）、ハンザイエローＲ（Ｃ．Ｉ．１２７１０）、ピグメントイエローＬ（Ｃ．Ｉ．１２７２０）、ベンジジンイエロー（Ｃ．Ｉ．２１０９０）、ベンジジンイエローＧ（Ｃ．Ｉ．２１０９５）、ベンジジンイエローＧＲ（Ｃ．Ｉ．２１１００）、パーマネントイエローＮＣＧ（Ｃ．Ｉ．２００４０）、バルカンファストイエロー５Ｇ（Ｃ．Ｉ．２１２２０）、バルカンファストイエローＲ（Ｃ．Ｉ．２１１３５）、タートラジンレーキ（Ｃ．Ｉ．１９１４０）、キノリンイエローレーキ（Ｃ．Ｉ．４７００５）、アンスラゲンイエロー６ＧＬ（Ｃ．Ｉ．６０５２０）、パーマネントイエローＦＧＬ、パーマネントイエローＨ１０Ｇ、パーマネントイエローＨＲ、アンスラピリミジンイエロー（Ｃ．Ｉ．６８４２０）、スダーンＩ（Ｃ．Ｉ．１２０５５）、パーマネントオレンジ（Ｃ．Ｉ．１２０７５）、リソールファストオレンジ（Ｃ．Ｉ．１２１２５）、パーマネントオレンジＧＴＲ（Ｃ．Ｉ．１２３０５）、ハンザイエロー３Ｒ（Ｃ．Ｉ．１１７２５）、バルカンファストオレンジＧＧ（Ｃ．Ｉ．２１１６５）、ベンジジンオレンジＧ（Ｃ．Ｉ．２１１１０）、ペルシアンオレンジ（Ｃ．Ｉ．１５５１０）、インダンスレンブリリアントオレンジＧＫ（Ｃ．Ｉ．５９３０５）、インダンスレンブリリアントオレンジＲＫ（Ｃ．Ｉ．５９１０５）、インダンスレンブリリアントオレンジＧＲ（Ｃ．Ｉ．７１１０５）、パーマネントブラウンＦＧ（Ｃ．Ｉ．１２４８０）、パラブラウン（Ｃ．Ｉ．１２０７１）、パーマネントレッド４Ｒ（Ｃ．Ｉ．１２１２０）、パラレッド（Ｃ．Ｉ．１２０７０）、ファイヤーレッド（Ｃ．Ｉ．１２０８５）、パラクロルオルトアニリンレッド（Ｃ．Ｉ．１２０９０）、リソールファストスカーレット、ブリリアントファストスカーレット（Ｃ．Ｉ．１２３１５）、ブリリアントカーミンＢＳ、パーマネントレッドＦ２Ｒ（Ｃ．Ｉ．１２３１０）、パーマネントレッドＦ４Ｒ（Ｃ．Ｉ．１２３３５）、パーマネントレッドＦＲＬ（Ｃ．Ｉ．１２４４０）、パーマネントレッドＦＲＬＬ（Ｃ．Ｉ．１２４６０），パーマネントレッドＦ４ＲＨ（Ｃ．Ｉ．１２４２０）、ファストスカーレットＶＤ、バルカンファストルビンＢ（Ｃ．Ｉ．１２３２０）、バルカンファストピンクＧ（Ｃ．Ｉ．１２３３０），ライトファストレッドトーナーＢ（Ｃ．Ｉ．１２４５０）、ライトファストレッドトーナーＲ（Ｃ．Ｉ．１２４５５）、パーマネントカーミンＦＢ（Ｃ．Ｉ．１２４９０）、ピラゾロンレッド（Ｃ．Ｉ．１２１２０）、リソールレッド（Ｃ．Ｉ．１５６３０）、レーキレッドＣ（Ｃ．Ｉ．１５５８５）、レーキレッドＤ（Ｃ．Ｉ．１５５００）、アンソシンＢ（Ｃ．Ｉ．１８０３０）、ブリリアントスカーレットＧ（Ｃ．Ｉ．１５８００）、リソールルビンＧＫ（Ｃ．Ｉ．１５８２５）、パーマネントレッドＦ５Ｒ（Ｃ．Ｉ．１５８６５）、ブリリアントカーミン６Ｂ（Ｃ．Ｉ．１５８５０）、ピグメントスカーレット３Ｂ（Ｃ．Ｉ．１６１０５）、ボルドー５Ｂ（Ｃ．Ｉ．１２１７０）、トルイジンマルーン（Ｃ．Ｉ．１２３５０）、パーマネントボルドーＦ２Ｒ（Ｃ．Ｉ．１２３８５）、ヘリオボルドーＢＬ（Ｃ．Ｉ．１４８３０）、ボルドー１０Ｂ（Ｃ．Ｉ．１５８８０）、ボンマルーンライト（Ｃ．Ｉ．１５８２５）、ボンマルーンメジウム（Ｃ．Ｉ．１５８８０）、エオシンレーキ（Ｃ．Ｉ．４５３８０）、ローダミンレーキＢ（Ｃ．Ｉ．４５１７０）、ローダミンレーキＹ（Ｃ．Ｉ．４５１６０）、アリザリンレーキ（Ｃ．Ｉ．５８０００）、チオインジゴレッドＢ（Ｃ．Ｉ．７３３００）、チオインジゴマルーン（Ｃ．Ｉ．７３３８５）、パーマネントレッドＦＧＲ（Ｃ．Ｉ．１２３７０）、ＰＶカーミンＨＲ、ワッチングレッド，モノライトファストレッドＹＳ（Ｃ．Ｉ．５９３００）、パーマネントレッドＢＬ、ファストバイオレットＢ、メチルバイオレットレーキ（Ｃ．Ｉ．４２５３５）、ジオキサジンバイオレット、アルカリブルーレーキ（Ｃ．Ｉ．４２７５０Ａ、Ｃ．Ｉ．４２７７０Ａ）、ピーコックブルーレーキ（Ｃ．Ｉ．４２０９０）、ピーコックブルーレーキ（Ｃ．Ｉ．４２０２５）、ビクトリアブルーレーキ（Ｃ．Ｉ．４４０４５）、フタロシアニンブルー（Ｃ．Ｉ．７４１６０）、ファストスカイブルー（Ｃ．Ｉ．７４１８０）、インダンスレンブルーＲＳ（Ｃ．Ｉ．６９８００）、インダンスレンブルーＢＣ（Ｃ．Ｉ．６９８２５）、インジゴ（Ｃ．Ｉ．７３０００）、ピグメントグリーンＢ（Ｃ．Ｉ．１０００６）、ナフトールグリーンＢ（Ｃ．Ｉ．１００２０）、グリーンゴールド（Ｃ．Ｉ．１２７７５）、アシッドグリーンレーキ、マラカイトグリーンレーキ（Ｃ．Ｉ．４２０００）、フタロシアニングリーンなどが挙げられる。
【００１５】
また、水性媒体に顔料を分散した水性顔料ベースを用いることもできる。
具体的には、Ｆｕｊｉ  ＳＰ  Ｂｌａｃｋ８０３１、Ｆｕｊｉ  ＳＰ  Ｂｌａｃｋ８１１９、Ｆｕｊｉ  ＳＰ  Ｂｌａｃｋ８１６７、Ｆｕｊｉ  ＳＰ  Ｂｌａｃｋ８２７６、Ｆｕｊｉ  ＳＰ  Ｂｌａｃｋ８３８１、Ｆｕｊｉ  ＳＰ  Ｂｌａｃｋ８４０６、Ｆｕｊｉ  ＳＰ  Ｒｅｄ  ５０９６、Ｆｕｊｉ  ＳＰ  Ｒｅｄ５１１１、Ｆｕｊｉ  ＳＰ  Ｒｅｄ５１９３、Ｆｕｊｉ  ＳＰ  Ｒｅｄ５２２０、Ｆｕｊｉ  ＳＰ  Ｂｏｒｄｅａｕｘ  ５５００、Ｆｕｊｉ  ＳＰ  Ｂｌｕｅ  ６０６２、Ｆｕｊｉ  ＳＰ  Ｂｌｕｅ６１３３、Ｆｕｊｉ  ＳＰ  Ｂｌｕｅ６１３４、Ｆｕｊｉ  ＳＰ  Ｂｌｕｅ６４０１、Ｆｕｊｉ  ＳＰ  Ｇｒｅｅｎ  ７０５１、Ｆｕｊｉ  ＳＰ  Ｙｅｌｌｏｗ  ４０６０、Ｆｕｊｉ  ＳＰ  Ｙｅｌｌｏｗ  ４１７８、Ｆｕｊｉ  ＳＰ  Ｖｉｏｌｅｔ  ９０１１、Ｆｕｊｉ  ＳＰ  Ｐｉｎｋ  ９５２４、同９５２７、Ｆｕｊｉ  ＳＰ  Ｏｒａｎｇｅ  ５３４、Ｆｕｊｉ  ＳＰ  Ｂｒｏｗｎ  ３０７４、Ｆｕｊｉ  ＳＰ  ＲＥＤ  ５５４３、ＦＵＪＩ  ＳＰ  ＲＥＤ５５４４（以上、富士色素（株）製）、Ｅｍａｃｏｌ  Ｂｌａｃｋ  ＣＮ、Ｅｍａｃｏｌ  Ｂｌｕｅ  ＦＢＢ、Ｅｍａｃｏｌ  Ｂｌｕｅ  ＦＢ、Ｅｍａｃｏｌ  Ｂｌｕｅ  ＫＲ、Ｅｍａｃｏｌ  Ｇｒｅｅｎ  ＬＸＢ、Ｅｍａｃｏｌ  Ｖｉｏｌｅｔ  ＢＬ、Ｅｍａｃｏｌ  Ｂｒｏｗｎ  ３１０１、Ｅｍａｃｏｌ  Ｃａｒｍｍｉｎｅ  ＦＢ、Ｅｍａｃｏｌ  Ｒｅｄ  ＢＳ、Ｅｍａｃｏｌ  Ｏｒａｎｇｅ  Ｒ、Ｅｍａｃｏｌ  Ｙｅｌｌｏｗ  ＦＤ、Ｅｍａｃｏｌ  Ｙｅｌｌｏｗ  ＩＲＮ、Ｅｍａｃｏｌ  Ｙｅｌｌｏｗ  ３６０１、Ｅｍａｃｏｌ  Ｙｅｌｌｏｗ  ＦＧＮ、Ｅｍａｃｏｌ  Ｙｅｌｌｏｗ  ＧＮ、Ｅｍａｃｏｌ  Ｙｅｌｌｏｗ  ＧＧ、Ｅｍａｃｏｌ  Ｙｅｌｌｏｗ  Ｆ５Ｇ、Ｅｍａｃｏｌ  Ｙｅｌｌｏｗ  Ｆ７Ｇ、Ｅｍａｃｏｌ  Ｙｅｌｌｏｗ  １０ＧＮ、Ｅｍａｃｏｌ  Ｙｅｌｌｏｗ  １０Ｇ、Ｓａｎｄｙｅ  Ｓｕｐｅｒ  Ｂｌａｃｋ  Ｋ、Ｓａｎｄｙｅ  Ｓｕｐｅｒ  Ｂｌａｃｋ  Ｃ、Ｓａｎｄｙｅ  Ｓｕｐｅｒ  Ｇｒｅｙ  Ｂ、Ｓａｎｄｙｅ  Ｓｕｐｅｒ  Ｂｒｏｗｎ  ＳＢ、Ｓａｎｄｙｅ  Ｓｕｐｅｒ  Ｂｒｏｗｎ  ＦＲＬ、Ｓａｎｄｙｅ  Ｓｕｐｅｒ  Ｂｒｏｗｎ  ＲＲ、ＳａｎｄｙｅＳｕｐｅｒ  Ｇｒｅｅｎ  Ｌ５Ｇ、ＳａｎｄｙｅＳｕｐｅｒ  Ｇｒｅｅｎ  ＧＸＢ、Ｓａｎｄｙｅ  Ｓｕｐｅｒ  Ｎａｖｙ  Ｂｌｕｅ  ＨＲＬ、Ｓａｎｄｙｅ  Ｓｕｐｅｒ  Ｎａｖｙ  Ｂｌｕｅ  ＧＬＬ、Ｓａｎｄｙｅ  Ｓｕｐｅｒ  Ｎａｖｙ  Ｂｌｕｅ  ＨＢ、Ｓａｎｄｙｅ  Ｓｕｐｅｒ  Ｎａｖｙ  Ｂｌｕｅ  ＦＢＬ−Ｈ、Ｓａｎｄｙｅ  Ｓｕｐｅｒ  Ｎａｖｙ  Ｂｌｕｅ  ＦＢＬ−１６０、Ｓａｎｄｙｅ  Ｓｕｐｅｒ  Ｎａｖｙ  Ｂｌｕｅ  ＦＢＢ、Ｓａｎｄｙｅ  Ｓｕｐｅｒ  Ｖｉｏｌｅｔ  ＢＬ  Ｈ／Ｃ、Ｓａｎｄｙｅ  Ｓｕｐｅｒ  Ｖｉｏｌｅｔ  ＢＬ  ＢＬ、Ｓａｎｄｙｅ  Ｓｕｐｅｒ  Ｂｏｒｄｅａｕｘ  ＦＲ、Ｓａｎｄｙｅ  Ｓｕｐｅｒ  Ｐｉｎｋ  ＦＢＬ、Ｓｕｐｅｒ  Ｐｉｎｋ  Ｆ５Ｂ、Ｓａｎｄｙｅ  Ｓｕｐｅｒ  Ｒｕｂｉｎｅ  ＦＲ、Ｓａｎｄｙｅ  ｓｕｐｅｒ  Ｃａｒｍｍｉｎｅ  ＦＢ、ＳａｎｄｙｅＳｕｐｅｒ  Ｒｅｄ  ＦＦＧ、ＳａｎｄｙｅＳｕｐｅｒ  Ｒｅｄ  ＲＲ、ＳａｎｄｙｅＳｕｐｅｒ  Ｒｅｄ  ＢＳ、Ｓａｎｄｙｅ  Ｓｕｐｅｒ  Ｏｒａｎｇｅ  ＦＬ、Ｓａｎｄｙｅ  Ｓｕｐｅｒ  Ｏｒａｎｇｅ  Ｒ、Ｓａｎｄｙｅ  Ｓｕｐｅｒ  Ｏｒａｎｇｅ  ��Ｏ、Ｓａｎｄｙｅ  Ｇｏｌｄ  Ｙｅｌｌｏｗ  ５ＧＲ、Ｓａｎｄｙｅ  Ｇｏｌｄ  Ｙｅｌｌｏｗ  Ｒ、Ｓａｎｄｙｅ  Ｇｏｌｄ  Ｙｅｌｌｏｗ  ３Ｒ、Ｓａｎｄｙｅ  Ｙｗｌｌｏｗ  ＧＧ、Ｓａｎｄｙｅ  Ｙｗｌｌｏｗ  Ｆ３Ｒ、Ｓａｎｄｙｅ  Ｙｗｌｌｏｗ  ＩＲＣ、Ｓａｎｄｙｅ  Ｙｗｌｌｏｗ  ＦＧＮ、Ｓａｎｄｙｅ  Ｙｗｌｌｏｗ  ＧＮ、Ｓａｎｄｙｅ  Ｙｗｌｌｏｗ  ＧＲＳ、Ｓａｎｄｙｅ  Ｙｗｌｌｏｗ  ＧＳＲ−１３０、Ｓａｎｄｙｅ  Ｙｗｌｌｏｗ  ＧＳＮ−１３０、Ｓａｎｄｙｅ  Ｙｗｌｌｏｗ  ＧＳＮ、Ｓａｎｄｙｅ  Ｙｗｌｌｏｗ  １０ＧＮ（以上、山陽色素（株）製）、Ｒｉｏ  Ｆａｓｔ  ＢｌａｃｋＦｘ  ８０１２、Ｒｉｏ  Ｆａｓｔ  ＢｌａｃｋＦｘ  ８３１３、Ｒｉｏ  Ｆａｓｔ  ＢｌａｃｋＦｘ  ８１６９、Ｒｉｏ  Ｆａｓｔ  Ｒｅｄ  Ｆｘ８２０９、Ｒｉｏ  Ｆａｓｔ  Ｒｅｄ  Ｆｘ  ８１７２、Ｒｉｏ  Ｆａｓｔ  Ｒｅｄ  Ｓ  Ｆｘ  ８３１５、Ｒｉｏ  Ｆａｓｔ  Ｒｅｄ  Ｓ  Ｆｘ  ８３１６、Ｒｉｏ  Ｆａｓｔ  Ｂｌｕｅ  Ｆｘ  ８１７０、Ｒｉｏ  Ｆａｓｔ  Ｂｌｕｅ  ＦＸ  ８１７０、Ｒｉｏ  Ｆａｓｔ  Ｂｌｕｅ  Ｓ  Ｆｘ  ８３１２、Ｒｉｏ  Ｆａｓｔ  Ｇｒｅｅｎ  Ｓ  Ｆｘ  ８３１４（以上、東洋インキ（株）製）、ＮＫＷ−２１０１、ＮＫＷ−２１０２、ＮＫＷ−２１０３、ＮＫＷ−２１０４、ＮＫＷ−２１０５、ＮＫＷ−２１０６、ＮＫＷ−２１０７、ＮＫＷ−２１０８、ＮＫＷ−２１１７、ＮＫＷ−２１２７、ＮＫＷ−２１３７、ＮＫＷ−２１６７、ＮＫＷ−２１０１Ｐ、ＮＫＷ−２１０２Ｐ、ＮＫＷ−２１０３Ｐ、ＮＫＷ−２１０４Ｐ、ＮＫＷ−２１０５Ｐ、ＮＫＷ−２１０６Ｐ、ＮＫＷ−２１０７Ｐ、ＮＫＷ−２１０８Ｐ、ＮＫＷ−２１１７Ｐ、ＮＫＷ−２１２７Ｐ、ＮＫＷ−２１３７Ｐ、ＮＫＷ−２１６７Ｐ、ＮＫＷ−３００２、ＮＫＷ−３００３、ＮＫＷ−３００４、ＮＫＷ−３００５、ＮＫＷ−３００７、ＮＫＷ−３０７７、ＮＫＷ−３００８、ＮＫＷ−３４０２、ＮＫＷ−３４０４、ＮＫＷ−３４０５、ＮＫＷ−３４０７、ＮＫＷ−３４０８、ＮＫＷ−３４７７、ＮＫＷ−３６０２、ＮＫＷ−３６０３、ＮＫＷ−３６０４、ＮＫＷ−３６０５、ＮＫＷ−３６０７、ＮＫＷ−３６７７、ＮＫＷ−３６０８、ＮＫＷ−３７０２、ＮＫＷ−３７０３、ＮＫＷ−３７０４、ＮＫＷ−３７０５、ＮＫＷ−３７７７、ＮＫＷ−３７０８、ＮＫＷ−６０１３、ＮＫＷ−６０３８、ＮＫＷ−６５５９（以上、日本蛍光（株）製）、コスモカラーＳ１０００Ｆシリーズ（東洋ソーダ（株）製）、ビクトリアイエロー  Ｇ−１１、同Ｇ−２０、ビクトリアオレンジ  Ｇ−１６、同Ｇ−２１、ビクトリアレッド  Ｇ−１９、同Ｇ−２２、ビクトリアピンク  Ｇ−１７、同Ｇ−２３、ビクトリアグリーン  Ｇ−１８、同Ｇ−２４、ビクトリアブルー  Ｇ−１５、同Ｇ−２５（以上、御国色素（株）製）、ポルックスＰＣ５Ｔ１０２０、ポルックスブラックＰＣ８Ｔ１３５、ポルックスレッドＩＴ１０３０などのポルックスシリーズ（以上、住化カラー（株）製）などが挙げられる。
前記水性媒体に分散した水性顔料ベースは、単独、あるいは２種以上混合して使用しても良い。
インキ組成物中における顔料の含有量は、インキ組成物全量に対し０．１重量％以上１０．０重量％以下が好ましい。０．１重量％より少ないと色調の調整が十分でなく、１０．０重量％より多いと、金属を含有した光輝性顔料の上に前記顔料が多量に付着し光輝性が失われる。
【００１６】
また書き味を向上させるために、Ｎ−脂肪酸アシル−Ｌ−グルタミン酸塩を用いても良い。
具体的には、アミソフトＣＡ（Ｎ−ヤシ油脂肪酸アシル−Ｌ−グルタミン酸）、アミソフトＬＡ−Ｄ（Ｎ−ラウロイル−Ｌ−グルタミン酸）、アミソフトＨＡ−Ｐ（Ｎ−ステアロイル−Ｌ−グルタミン酸）、アミソフトＣＳ−１１（Ｎ−ヤシ油脂肪酸アシル−Ｌ−グルタミン酸ナトリウム）、アミソフトＬＳ−１１（Ｎ−ラウロイル−Ｌ−グルタミン酸ナトリウム）、アミソフトＭＫ−１１（Ｎ−ミリストイル−Ｌ−グルタミン酸カリウム）、アミソフトＭＳ−１１（Ｎ−ミリストイル−Ｌ−グルタミン酸ナトリウム）、アミソフトＧＳ−１１Ｐ（Ｎ−アシル−Ｌ−グルタミン酸ナトリウム）、アミソフトＨＳ−１１Ｐ（Ｎ−ステアロイル−Ｌ−グルタミン酸ナトリウム）、アミソフトＣＴ−１２（Ｎ−ヤシ油脂肪酸アシル−Ｌ−グルタミン酸のトリエタノールアミン溶液）、アミソフトＬＴ−１２（ラウロイル−Ｌ−グルタミン酸のトリエタノールアミン溶液）、アミソフトＣＫ−２２（Ｎ−ヤシ油脂肪酸アシル−Ｌ−グルタミン酸カリウムの水酸化カリウム溶液）、アミソフトＣＳ−２２（Ｎ−ヤシ油脂肪酸アシル−Ｌ−グルタミン酸ナトリウムの水酸化ナトリウム溶液）（以上、味の素ヘルシーサプライ（株）製）などが挙げられる。
前記Ｎ−脂肪酸アシル−Ｌ−グルタミン酸塩は単独あるいは２種以上混合して使用しても良い。インキ組成物中のＮ−脂肪酸アシル−Ｌ−グルタミン酸塩の含有量は、インキ組成物全量に対して０．１％重量％以上２０．０重量％以下であると、ボールとボールホルダーとの直接的な金属同士の摩耗が抑制され書き味が向上し、また、筆跡のにじみや裏抜けがなくなるので好ましい。
前記Ｎ−脂肪酸アシル−Ｌ−グルタミン酸塩は、アルカリ性化合物で中和して添加しても良い。
具体的には、無機系アルカリ性化合物として、水酸化ナトリウムや水酸化カリウムなどの強アルカリ性化合物、炭酸ナトリウム、炭酸カルシウム、リン酸水素ナトリウム、リン酸水素カリウムなどの弱アルカリ性化合物が挙げられる。また有機系アルカリ化合物としては、水溶性有機アミンなどが挙げられる。水溶性有機アミンとしては、モノエタノールアミン、ジエタノールアミン、トリエタノールアミン、Ｎ−メチルエタノールアミンなどのアルカノールアミン類や、Ｎ−ブチルアミン、トリス（ヒドロキシメチル）アミノメタンなどのアルキルアミン類、２−アミノ−６−ピコリンなどの常温で固体の塩基、アンモニアなどが挙げられる。
【００１７】
また、ポリビニルアルコールを用いると、ある程度粘度が高くなった状態でも、Ｎ−脂肪酸アシル−Ｌ−グルタミン酸塩が吸着した金属被覆フィルム粉光輝性顔料を移動しやすくすることで、書き味をさらに向上させることはできる。
具体的には、ＰＶＡ−１０３、ＰＶＡ−１０４Ａ、ＰＶＡ−１０５、ＰＶＡ−１１０、ＰＶＡ−１１７、ＰＶＡ−１２４、ＲＳ−４１０４（以上、けん化度９８．００〜９９．００ｍｏｌ％）、ＰＶＡ−１１７Ｈ（けん化度９９．３ｍｏｌ％以上）、ＰＶＡ−ＨＣ（けん化度９９．３ｍｏｌ％以上）、ＲＳ−２１１７（けん化度９７．５０〜９９．００ｍｏｌ％）、ＲＳ−２８１７ＳＢ（けん化度９５．５０〜９７．５０ｍｏｌ％）、ＰＶＡ−６１７（けん化度９４．５０〜９５．５０ｍｏｌ％）、ＰＶＡ−６１３（けん化度９２．５０〜９４．５０ｍｏｌ％）、ＲＳ−１７１３、ＲＳ−１７１７（以上、けん化度９２．００〜９４．００ｍｏｌ％）、ＰＶＡ−７０６（けん化度９０．５０〜９２．５０ｍｏｌ％）、Ｒ−１１３０（けん化度９８．００〜９９．００ｍｏｌ％）、Ｍ−１１５、ＲＳ−１１３（以上、けん化度９７．００〜９８．００ｍｏｌ％）、ＰＶＡ−ＣＳＴ（けん化度９５．５０〜９６．５０ｍｏｌ％）、ＰＶＡ−２０３、ＰＶＡ−２１０、ＰＶＡ−２１７、ＰＶＡ−２２０、ＰＶＡ−２２４、ＰＶＡ−２３５、ＰＶＡ−２１７Ｅ、ＰＶＡ−２１７ＥＥ、ＰＶＡ−２２０Ｅ、ＰＶＡ−２２４Ｅ、ＰＶＡ−２０４Ｃ、ＰＶＡ−２０５Ｃ、ＰＶＡ−２１７Ｃ、ＰＶＡ−２２４Ｃ（以上、けん化度８７．００〜８９．００ｍｏｌ％）、Ｍ−２０５（けん化度８６．５０〜８９．５０ｍｏｌ％）、ＰＶＡ−２０５（けん化度８６．５０〜８９．００ｍｏｌ％）、ＰＶＡ−４０３（けん化度７８．５０〜８１．５０ｍｏｌ％）、ＰＶＡ−４０５（けん化度８０．００〜８３．００ｍｏｌ％）、ＰＶＡ−４１７（けん化度７８．００〜８１．００ｍｏｌ％）、ＰＶＡ−４２０（けん化度７９．００〜８１．００ｍｏｌ％）、ＰＶＡ−４２０、ＰＶＡ−４２０Ｈ（以上、けん化度７９．００〜８１．００ｍｏｌ％）、ＰＶＡ−４２４Ｈ（けん化度７８．５０〜８０．５０ｍｏｌ％）、Ｌ−８、Ｌ−９（以上、けん化度６９．５０〜７２．５０ｍｏｌ％）、Ｌ−９−７８（けん化度７６．５０〜７９．００ｍｏｌ％）、Ｌ−１０（けん化度７１．５０〜７３．５０ｍｏｌ％）、ＰＶＡ−５０５（けん化度７２．５０〜７４．５０ｍｏｌ％）、ＫＬ−５０６（けん化度７４．００〜８０．００ｍｏｌ％）、ＫＬ−３１８（けん化度８５．００〜９０．００ｍｏｌ％）、ＫＬ−１１８（けん化度９５．００〜９９．００ｍｏｌ％）、ＣＭ−３１８（けん化度１７．００〜２７．００ｍｏｌ％）、ＬＭ−１０ＨＤ、ＬＭ−２０（以上、けん化度３８．００〜４２．００ｍｏｌ％）ＬＭ−２５（けん化度３３．００〜３８．００ｍｏｌ％）、ＳＤ−１０００（けん化度８３．００〜８８．００ｍｏｌ％）（以上、（株）クラレ製）、Ｎ−３００（けん化度９８．０〜９９．０ｍｏｌ％）、ＮＬ−０５（けん化度９８．５ｍｏｌ％以上）、Ａ−３００（けん化度９７．０〜９８．８ｍｏｌ％）、ＡＬ−０６Ｒ（けん化度９１．０〜９４．０ｍｏｌ％）、ＧＨ−２３、ＧＨ−２０、ＧＨ−２２、ＧＨ−２０Ｒ、ＧＨ−１７Ｒ、ＧＨ−１４Ｒ、ＧＭ−１４Ｒ、ＧＭ−１４Ｌ、ＧＬ−０５Ｒ、ＧＬ−０３Ｒ（以上、けん化度８６．５〜８９．０ｍｏｌ％）、ＫＨ−２０、ＫＨ−１７（以上、けん化度７８．５〜８１．５ｍｏｌ％）、ＫＬ−０５、ＫＬ−０３（以上、けん化度７８．５〜８２．０ｍｏｌ％）、ＫＰ−０８Ｒ（けん化度７１．０〜７３．５ｍｏｌ％）、ＮＫ−０５Ｒ（けん化度７１．０〜７５．０ｍｏｌ％）（以上、日本合成化学工業（株）製）などが挙げられる。これらのポリビニルアルコールは、単独あるいは２種以上混合して使用しても良い。
ポリビニルアルコールはインキ全量に対して０．１重量％以上２０．０重量％以下であると、ある程度粘度が高くなった状態でも、Ｎ−脂肪酸アシル−Ｌ−グルタミン酸塩が吸着した金属被覆フィルム粉光輝性顔料を移動しやすくすることで、書き味をさらに向上し好ましい。
また、ポリビニルアルコールのけん化度が７０ｍｏｌ％以上、９０ｍｏｌ％以下であると書き味がさらに良好になるので好ましい。
【００１８】
水は、主溶剤として使用される。
本発明における主溶剤とは、インキ組成物に含有する全溶剤における含有量が、５０．０重量％以上を占める溶剤を指す。
【００１９】
また、従来公知の水溶性有機溶剤も用いることできる。
具体的には、エチレングリコール、ジエチレングリコール、トリエチレングリコール、プロピレングリコール、ポリエチレングリコール、ヘキシレングリコール、１，３−ブチレングリコール、チオジエチレングリコール、グリセリン、ベンジルグリコール、ベンジルジグリコールなどのグリコール類、エチレングリコールモノメチルエーテル、プロピレングリコールモノメチルエーテル、ジエチレングリコールモノメチルエーテル、ジプロピレングリコールモノメチルエーテル、エチレングリコールモノエチルエーテル、プロピレングリコールモノエチルエーテル、ジエチレングリコールモノエチルエーテル、ジプロピレングリコールモノエチルエーテル、エチレングリコールモノブチルエーテル、エチレングリコールモノヘキシルエーテル、エチレングリコールモノフェニルエーテル、ジエチレングリコールモノブチルエーテル、ジエチレングリコールモノヘキシルエーテル、ジエチレングリコールモノフェニルエーテル、プロピレングリコールモノブチルエーテル、プロピレングリコールモノフェニルエーテル、トリプロピレングリコールモノブチルエーテル、トリプロピレングリコールモノフェニルエーテルなどのグリコールエーテル類、ベンジルアルコール、α−メチルベンジルアルコール、ラウリルアルコール、トリデシルアルコール、イソドデシルアルコール、イソトリデシルアルコールなどのアルコール系有機溶剤、プロピレングリコールメチルエーテルアセテート、プロピレングリコールジアセテート、２−ピロリドン、Ｎ−メチル−２−ピロリドンなどが挙げられる。
【００２０】
また、経時による金属被覆フィルム粉光輝性顔料の沈降を防止するために、剪断減粘性付与剤を使用することができる。
具体的には、ＨＰＣ−ＳＬ、ＨＰＣ−Ｌ、ＨＰＣ−Ｍ、ＨＰＣ−Ｈ（以上、日本曹達（株）製）、アビセルＰＨ−１０１、アビセルＰＨ−１０２、アビセルＰＨ−３０１、アビセルＰＨ−Ｍ０６、ＴＧ−１０１（以上、旭化成（株）製）などのセルロース類、ケルザン、ケルザンＳ、ケルザンＦ、ケルザンＡＲ、ケルザンＭ、ケルザンＤ、ケルザンＡＰ（以上、三晶（株）製）、コージン、コージンＦ、コージンＴ、コージンＫ（以上、（株）興人製）などのキサンタンガム、レオザン（三唱（株）製）などのサクシノグルカン、Ｋ１Ａ９６（三唱（株）製）などのウエランガム、Ｋ１Ａ１１２、Ｋ７Ｃ２４３３（以上、三唱（株）製）などのラムザンガム、ジャガー８１１１、同８６００、同ＨＰ−８、同ＨＰ−６０、ＣＰ−１３（以上、三唱（株）製）などのグァーガム類、プルラン（（株）林原商事製）などの水溶性多糖類、レオジック２５０Ｈ（日本純薬（株）製）、ジュンロンＰＷ１１１（日本純薬（株）製）、Ｕジェリ・ＣＰ（昭和電工（株）製）などの架橋型アクリル酸樹脂、カーボポール９３４、カーボポール９４０、カーボポール９４１、カーボポール９８０、カーボポール９８１、カーボポール１３４２、カーボポール１３８２、カーボポール２９８４、カーボポール５９８４、カーボポールＥＴＤ２０２０、カーボポールＥＴＤ２０５０、ＥＺ−１、ペミュレンＴＲ−１、ペミュレンＴＲ−２（以上、Ｌｕｂｒｉｚｏｌ社製、米国）などのアクリル酸メタクリル酸アルキル共重合体、ＧＸ−２０５、ＮＡ−０１０（以上、昭和電工（株）製）などのＮ−ビニルアセトアミド重合架橋物などの水溶性合成高分子、スメクトンＳＡ（クニミネ工業（株）製）などのスメクタイト類、クニピア−Ｆ、クニピア−Ｇ（以上、クニミネ工業（株）製）などのモンモリロナイト類、ベンゲルＨＶ、ベンゲルＦＷ、ベンゲル１５、ベンゲル２３（以上、（株）豊順洋行製）などのベントナイト類、ベンゲルＷ−１００、ベンゲルＷ−１００Ｕ、ベンゲルＷ−２００Ｕ、ベンゲルＷ−３００Ｕ、ベンゲルＷ−３００ＨＰ（以上、（株）豊順洋行製）などのアニオン系ポリマー複合精製ベントナイト類、エスベン、エスベンＣ、エスベンＷ、エスベンＮ４００（以上、（株）豊順洋行製）などの４級アンモニウムカチオン変性モンモリロナイト類が挙げられる。
【００２１】
これら剪断減粘性付与剤の中でも、キサンタンガムとウェランガムを併用し混合多糖類とすることで、比較的小径で均一な細孔径を有する三次元網目構造を形成する。金属を含有した光輝性顔料は、Ｎ−脂肪酸アシル−Ｌ−グルタミン酸塩とポリビニルアルコールとの組合せによりインキ中で移動しやすくなるが、キサンタンガムとウェランガムからなる混合多糖類の比較的小径で均一な細孔径を有する三次元網目構造で光輝性顔料を保持するので沈降が抑制される。
キサンタンガムの中でも、ケルザン、ケルザンＡＲ、ケルザンＳ、ケルザンＴ、ケルザンＳＴが、ウェランガムと併用した際に、沈降防止効果が最も高いため好ましい。
【００２２】
また、金属を含有した光輝性顔料などを紙面に定着させるために結合材として合成樹脂を用いることもできる。
具体的には、スチレン−マレイン酸共重合体、スチレン−アクリル酸共重合体、スチレン−アクリル酸共重合体の塩類のアルカリ金属塩、同アミン塩、同アンモニウム塩、α−メチルスチレン−アクリル酸共重合体のアルカリ金属塩、同アミン塩、同アンモニウム塩などの水溶性合成樹脂を用いることができる。また、アクリル系樹脂、酢酸ビニル系樹脂、スチレン−ブタジエン共重合物などの水不溶性樹脂などが挙げられ、前記水不溶性樹脂は、水性エマルジョンの形態で用いることもできる。特にアクリル系樹脂は、金属を含有した光輝性顔料の紙面への定着性が向上するので好ましい。さらにアクリルエマルジョンの形態で用いることで、金属を含有した光輝性顔料の紙面への定着性向上とインキ経時安定性が良好となるのでさらに好ましい。
【００２３】
その他、従来水性インキや油性インキに用いられる種々の添加剤を適宜必要に応じて使用することもできる。
具体的には、インキの蒸発防止のためにソルビット、キシリットなどの糖アルコール、尿素、エチレン尿素及びこれらの誘導体、アニオン系界面活性剤、ノニオン系界面活性剤、カチオン系界面活性剤、シリコーン系界面活性剤、フッ素系界面活性剤などの表面張力調整剤、ベンゾトリアゾール、エチレンジアミン四酢酸などの各種防錆剤、シリコーン系、フッ素系などの各種消泡剤、アスコルビン酸またはその塩並びにそれらの誘導体、トコフェロールまたはその塩並びにそれらの誘導体、ハイドロキノン、ハイドロキノン誘導体、ハイドロスルフォン酸及びその塩などの脱酸素剤、水酸化ナトリウムなどのｐＨ調整剤、アルカノールアミン、アミン、アンモニウムなどのアルカリ調整剤、デヒドロ酢酸ナトリウム、１，２−ベンゾイソチアザリン−３−オン、２−ピリジンチオール−１−オキサイド・ナトリウム塩などの防腐防黴剤などが挙げられる。また、これら防腐防黴剤は、１，２−ベンゾイソチアザリン−３−オン、２−ピリジンチオール−１−オキサイド・ナトリウム塩を組合せることで相乗効果があり、より少ない含有量で防腐防黴効果が得られる。
また、これらの各種添加剤は、２種以上混合して使用しても良い。
【００２４】
ボールペン用光輝性水性インキ組成物の製造方法としては従来知られている種々の方法が採用できる。
例えば、ボールミル、ビーズミル、ロールミル、ヘンシェルミキサー、プロペラ撹拌機、ホモジナイザー、ニーダーなどの装置を使用して作ることが出来る。また、キサンタンガムとウェランガムは良く溶かすことが肝要であり、良溶媒である水や水を含む溶液で十分に溶解することが好ましい。さらに濾過や遠心分離により、粗大粒子や気体などを除いても良い。また、加熱や冷却、加圧や減圧、不活性ガスへの置換などをしても良い。さらにキサンタンガムとウェランガムの分散性を十分にするためにインキ調整後にエージング工程を行っても良い。これらは、単独、あるいは２種以上併用して行っても良い。
【実施例】
【００２５】
インキ組成物の配合例を、実施例および比較例に基づき更に詳細に説明する。
【００２６】
各実施例及び比較例の温度２５℃及び剪断速度１．３２（１／ｓ）における粘度は、アントンパール社製のレオメーター（モジュラーコンパクトレオメータＭＣＲ３０２、ジオメトリーは１°／Φ５０ｍｍコーンプレート）を用いて測定した。
【００２７】
＜実施例１＞
ケルザンＡＲ（キサンタンガム、三晶（株）製）                ０．２重量％
ＢＧ３８１０（ウェランガム、三晶（株）製）                  ０．３重量％
エルジーｎｅｏ  Ｂ−ＧＯＬＤ  ＃３２５（金属被覆フィルム粉光輝性顔料、尾池工業（株）製）                                                  ４．０重量％
ダイワレッドＮｏ．１０６ＷＢ（Ｃ．Ｉ．アシッドレッド５２、ダイワ化成（株
）製）                                                      ０．４重量％
ダイワブルーＮｏ．１（Ｃ．Ｉ．アシッドブルー９、ダイワ化成（株）製）
１．６重量％
グリセリン                                                １０．０重量％
アミソフトＣＳ−１１（Ｎ−ヤシ油脂肪酸アシル−Ｌ−グルタミン酸ナトリウム、味の素ヘルシーサプライ（株）製）                            ０．３重量％
プロクセルＧＸＬ（Ｓ）（１，２−ベンゾイソチアザリン−３−オンを含む防腐防黴剤、有効成分２０％、アーチ・ケミカル・ジャパン（株）製）  ０．２重量％
サンアイバックソジウムオマジン（２−ピリジンチオール−１−オキサイド・ナトリウム塩を含有する防腐防黴剤、有効成分４０％、三愛石油（株）製）
０．３重量％
１０％水酸化ナトリウム水溶液                                ０．５重量％
イオン交換水                                              ８２．２重量％
上記成分の内、ケルザンＡＲの全量とイオン交換水１５．０重量％とを１時間攪拌してケルザンＡＲ水溶液を作製し、また、ＢＧ３８１０の全量とイオン交換水１５．０重量％とを１時間攪拌してＢＧ３８１０水溶液を作製した。次いで、残りの配合物の全量とケルザンＡＲ水溶液とＢＧ３８１０水溶液とをホモディスパーにて２時間攪拌して、ｐＨ８．９、粘度３５６０ｍＰａ・ｓの光輝性水性インキ組成物を得た。
【００２８】
＜実施例２＞
ケルザンＳ（キサンタンガム、三晶（株）製）                  ０．３重量％
ＢＧ３８１０（ウェランガム、三晶（株）製）                  ０．３重量％
エルジーｎｅｏ  ＲＥＤ  ＃３２５（金属被覆フィルム粉光輝性顔料、尾池工業
（株）製）                                                  ４．０重量％
ウォーターイエロー６Ｃ（Ｃ．Ｉ．アシッドイエロー４２、オリエント化学工業（株）製）                                                        ０．９重量％
ダイワブルーＮｏ．１（Ｃ．Ｉ．アシッドブルー９、ダイワ化成（株）製）
０．９重量％
グリセリン                                                １０．０重量％
アミソフトＣＳ−１１（Ｎ−ヤシ油脂肪酸アシル−Ｌ−グルタミン酸ナトリウム、味の素ヘルシーサプライ（株）製）                                  １．５重量％
プロクセルＧＸＬ（Ｓ）（１，２−ベンゾイソチアザリン−３−オンを含む防腐防黴剤、有効成分２０％、アーチ・ケミカル・ジャパン（株）製）        ０．２重量％
サンアイバックソジウムオマジン（２−ピリジンチオール−１−オキサイド・ナトリウム塩を含有する防腐防黴剤、有効成分４０％、三愛石油（株）製）
０．３重量％
トリエタノールアミン                                        ０．２重量％
イオン交換水                                              ８１．４重量％
上記成分の内、ケルザンＡＲの全量とイオン交換水１５．０重量％とを１時間攪拌してケルザンＡＲ水溶液を作製し、また、ＢＧ３８１０の全量とイオン交換水１５．０重量％とを１時間攪拌してＢＧ３８１０水溶液を作製した。次いで、残りの配合物の全量とケルザンＡＲ水溶液とＢＧ３８１０水溶液とをホモディスパーにて２時間攪拌して、ｐＨ８．３、粘度３８６０ｍＰａ・ｓの光輝性水性インキ組成物を得た。
【００２９】
＜実施例３＞
ケルザンＡＲ（キサンタンガム、三晶（株）製）                ０．２重量％
ＢＧ３８１０（ウェランガム、三晶（株）製）                  ０．３重量％
エルジーｎｅｏ  ＢＬＵＥ  ＃３２５（金属被覆フィルム粉光輝性顔料、尾池工業
（株）製）                                                  ４．０重量％
ダイワレッドＮｏ．１０６ＷＢ（Ｃ．Ｉ．アシッドレッド５２、ダイワ化成（株）製）                                                              ０．２重量％
ウォーターレッド１（Ｃ．Ｉ．アシッドレッド１８、オリエント化学工業（株）製）
３．０重量％
グリセリン                                                １０．０重量％
エチレングリコール                                        １０．０重量％
アミソフトＬＳ−１１（Ｎ−ラウロイル−Ｌ−グルタミン酸ナトリウム、味の素ヘルシーサプライ（株）製）                                          ０．８重量％
プロクセルＧＸＬ（Ｓ）（１，２−ベンゾイソチアザリン−３−オンを含む防腐防黴剤、有効成分２０％、アーチ・ケミカル・ジャパン（株）製）        ０．２重量％
サンアイバックソジウムオマジン（２−ピリジンチオール−１−オキサイド・ナトリウム塩を含有する防腐防黴剤、有効成分４０％、三愛石油（株）製）
０．３重量％
１０％水酸化ナトリウム水溶液                                ０．５重量％
イオン交換水                                              ７０．５重量％
上記成分の内、ケルザンＡＲの全量とイオン交換水１５．０重量％とを１時間攪拌してケルザンＡＲ水溶液を作製し、また、ＢＧ３８１０の全量とイオン交換水１５．０重量％とを１時間攪拌してＢＧ３８１０水溶液を作製した。次いで、残りの配合物の全量とケルザンＡＲ水溶液とＢＧ３８１０水溶液とをホモディスパーにて２時間攪拌して、ｐＨ８．７、粘度３６５０ｍＰａ・ｓの光輝性水性インキ組成物を得た。
【００３０】
＜実施例４＞
ケルザン（キサンタンガム、三晶（株）製）                    ０．５重量％
エルジーｎｅｏ  ＧＲＥＥＮ  ＃３２５（金属被覆フィルム粉光輝性顔料、尾池工業（株）製）                                                  ６．０重量％
ダイワレッドＮｏ．１０４ＷＢ（Ｃ．Ｉ．アシッドレッド９２、ダイワ化成（株）製）                                                              ０．８重量％
ウォーターイエロー６Ｃ（Ｃ．Ｉ．アシッドイエロー４２、オリエント化学工業（株）製）                                                        ３．０重量％
グリセリン                                                １０．０重量％
エチレングリコール                                        １０．０重量％
アミソフトＭＫ−１１（Ｎ−ミリストイル−Ｌ−グルタミン酸カリウム、味の素ヘルシーサプライ（株）製）                                          ０．８重量％
プロクセルＧＸＬ（Ｓ）（１，２−ベンゾイソチアザリン−３−オンを含む防腐防黴剤、有効成分２０％、アーチ・ケミカル・ジャパン（株）製）        ０．２重量％
サンアイバックソジウムオマジン（２−ピリジンチオール−１−オキサイド・ナトリウム塩を含有する防腐防黴剤、有効成分４０％、三愛石油（株）製）
０．３重量％
トリエタノールアミン                                        ０．５重量％
イオン交換水                                              ６７．９重量％
上記成分の内、ケルザンの全量とイオン交換水１５．０重量％とを１時間攪拌してケルザンＡＲ水溶液を作製た。次いで、残りの配合物の全量とケルザンＡＲ水溶液とＢＧ３８１０水溶液とをホモディスパーにて２時間攪拌して、ｐＨ８．５、粘度４０１０ｍＰａ・ｓの光輝性水性インキ組成物を得た。
【００３１】
＜実施例５＞
ケルザンＡＲ（キサンタンガム、三晶（株）製）                ０．２重量％
ＢＧ３８１０（ウェランガム、三晶（株）製）                  ０．３重量％
エルジーｎｅｏ  ＢＬＵＥ  ＃３２５（金属被覆フィルム粉光輝性顔料、尾池工業（株）製）                                                        １．０重量％
エルジーｎｅｏ  ＲＥＤ  ＃３２５（金属被覆フィルム粉光輝性顔料、尾池工業（株）製）                                                        ３．０重量％
ダイワレッドＮｏ．１０４ＷＢ（Ｃ．Ｉ．アシッドレッド９２、ダイワ化成（株）製）                                                            ０．１３重量％
ダイワブルーＮｏ．１（Ｃ．Ｉ．アシッドブルー９、ダイワ化成（株）製）
０．１３重量％
グリセリン                                                  ８．５重量％
アミソフトＣＳ−１１（Ｎ−ヤシ油脂肪酸アシル−Ｌ−グルタミン酸ナトリウム、味の素ヘルシーサプライ（株）製）                                  １．０重量％
プロクセルＧＸＬ（Ｓ）（１，２−ベンゾイソチアザリン−３−オンを含む防腐防黴剤、有効成分２０％、アーチ・ケミカル・ジャパン（株）製）        ０．２重量％
サンアイバックソジウムオマジン（２−ピリジンチオール−１−オキサイド・ナトリウム塩を含有する防腐防黴剤、有効成分４０％、三愛石油（株）製）
０．３重量％
１０％水酸化ナトリウム水溶液                                ０．８重量％
イオン交換水                                            ８４．４４重量％
上記成分の内、ケルザンＡＲの全量とイオン交換水１５．０重量％とを１時間攪拌してケルザンＡＲ水溶液を作製し、また、ＢＧ３８１０の全量とイオン交換水１５．０重量％とを１時間攪拌してＢＧ３８１０水溶液を作製した。次いで、残りの配合物の全量とケルザンＡＲ水溶液とＢＧ３８１０水溶液とをホモディスパーにて２時間攪拌して、ｐＨ８．５、粘度３４９０ｍＰａ・ｓの光輝性水性インキ組成物を得た。
【００３２】
＜実施例６＞
ケルザンＡＲ（キサンタンガム、三晶（株）製）                ０．２重量％
ＢＧ３８１０（ウェランガム、三晶（株）製）                  ０．３重量％
エルジーｎｅｏ  ＧＲＥＥＮ  ＃３２５（金属被覆フィルム粉光輝性顔料、尾池工業（株）製）                                                  １．５重量％
エルジーｎｅｏ  ＲＥＤ  ＃３２５（金属被覆フィルム粉光輝性顔料、尾池工業（株）製）                                                        ２．５重量％
ウォーターイエロー６Ｃ（Ｃ．Ｉ．アシッドイエロー４２、オリエント化学工業（株）                                                            ０．０３重量％
ダイワブルーＮｏ．１（Ｃ．Ｉ．アシッドブルー９、ダイワ化成（株）製）
０．１８重量％
グリセリン                                                  ８．５重量％
アミソフトＣＳ−１１（Ｎ−ヤシ油脂肪酸アシル−Ｌ−グルタミン酸ナトリウム、味の素ヘルシーサプライ（株）製）                                  １．０重量％
アミソフトＭＫ−１１（Ｎ−ミリストイル−Ｌ−グルタミン酸カリウム、味の素ヘルシーサプライ（株）製）                                          １．０重量％
プロクセルＧＸＬ（Ｓ）（１，２−ベンゾイソチアザリン−３−オンを含む防腐防黴剤、有効成分２０％、アーチ・ケミカル・ジャパン（株）製）        ０．２重量％
サンアイバックソジウムオマジン（２−ピリジンチオール−１−オキサイド・ナトリウム塩を含有する防腐防黴剤、有効成分４０％、三愛石油（株）製）
０．３重量％
１０％水酸化ナトリウム水溶液                                ０．８重量％
イオン交換水                                            ８３．４９重量％
上記成分の内、ケルザンＡＲの全量とイオン交換水１５．０重量％とを１時間攪拌してケルザンＡＲ水溶液を作製し、また、ＢＧ３８１０の全量とイオン交換水１５．０重量％とを１時間攪拌してＢＧ３８１０水溶液を作製した。次いで、残りの配合物の全量とケルザンＡＲ水溶液とＢＧ３８１０水溶液とをホモディスパーにて２時間攪拌して、ｐＨ８．０、粘度３６９０ｍＰａ・ｓの光輝性水性インキ組成物を得た。
【００３３】
＜実施例７＞
ケルザンＡＲ（キサンタンガム、三晶（株）製）                ０．２重量％
ＢＧ３８１０（ウェランガム、三晶（株）製）                  ０．３重量％
エルジーｎｅｏ  ＧＲＥＥＮ  ＃３２５（金属被覆フィルム粉光輝性顔料、尾池工業（株）製）                                                  ２．０重量％
エルジーｎｅｏ  Ｂ−ＧＯＬＤ  ＃３２５（金属被覆フィルム粉光輝性顔料、尾池工業（株）製）                                                  ２．０重量％
ダイワレッドＮｏ．１０４ＷＢ（Ｃ．Ｉ．アシッドレッド９２、ダイワ化成（株）製）                                                              ０．２重量％
ウォーターイエロー６Ｃ（Ｃ．Ｉ．アシッドイエロー４２、オリエント化学工業（株）                                                            ０．０５重量％
グリセリン                                                  ８．５重量％
アミソフトＭＫ−１１（Ｎ−ミリストイル−Ｌ−グルタミン酸カリウム、味の素ヘルシーサプライ（株）製）                                          １．０重量％
プロクセルＧＸＬ（Ｓ）（１，２−ベンゾイソチアザリン−３−オンを含む防腐防黴剤、有効成分２０％、アーチ・ケミカル・ジャパン（株）製）        ０．２重量％
サンアイバックソジウムオマジン（２−ピリジンチオール−１−オキサイド・ナトリウム塩を含有する防腐防黴剤、有効成分４０％、三愛石油（株）製）
０．３重量％
１０％水酸化ナトリウム水溶液                                ０．８重量％
イオン交換水                                            ８４．４５重量％
上記成分の内、ケルザンＡＲの全量とイオン交換水１５．０重量％とを１時間攪拌してケルザンＡＲ水溶液を作製し、また、ＢＧ３８１０の全量とイオン交換水１５．０重量％とを１時間攪拌してＢＧ３８１０水溶液を作製した。次いで、残りの配合物の全量とケルザンＡＲ水溶液とＢＧ３８１０水溶液とをホモディスパーにて２時間攪拌して、ｐＨ７．９、粘度３４６０ｍＰａ・ｓの光輝性水性インキ組成物を得た。
【００３４】
＜実施例８＞
ケルザンＡＲ（キサンタンガム、三晶（株）製）                ０．２重量％
ＢＧ３８１０（ウェランガム、三晶（株）製）                  ０．３重量％
エルジーｎｅｏ  ＢＬＵＥ  ＃３２５（金属被覆フィルム粉光輝性顔料、尾池工業（株）製）                                                        ２．５重量％
エルジーｎｅｏ  ＲＥＤ  ＃３２５（金属被覆フィルム粉光輝性顔料、尾池工業（株）製）                                                        １．５重量％
ウォーターイエロー６Ｃ（Ｃ．Ｉ．アシッドイエロー４２、オリエント化学工業（株）                                                              ０．２重量％
ダイワブルーＮｏ．１（Ｃ．Ｉ．アシッドブルー９、ダイワ化成（株）製）
０．０５重量％
グリセリン                                                  ８．５重量％
アミソフトＣＳ−１１（Ｎ−ヤシ油脂肪酸アシル−Ｌ−グルタミン酸ナトリウム、味の素ヘルシーサプライ（株）製）                                  １．０重量％
プロクセルＧＸＬ（Ｓ）（１，２−ベンゾイソチアザリン−３−オンを含む防腐防黴剤、有効成分２０％、アーチ・ケミカル・ジャパン（株）製）  ０．２重量％
サンアイバックソジウムオマジン（２−ピリジンチオール−１−オキサイド・ナトリウム塩を含有する防腐防黴剤、有効成分４０％、三愛石油（株）製）
０．３重量％
１０％水酸化ナトリウム水溶液                                ０．８重量％
イオン交換水                                            ８４．４５重量％
上記成分の内、ケルザンＡＲの全量とイオン交換水１５．０重量％とを１時間攪拌してケルザンＡＲ水溶液を作製し、また、ＢＧ３８１０の全量とイオン交換水１５．０重量％とを１時間攪拌してＢＧ３８１０水溶液を作製した。次いで、残りの配合物の全量とケルザンＡＲ水溶液とＢＧ３８１０水溶液とをホモディスパーにて２時間攪拌して、ｐＨ７．８、粘度３３３０ｍＰａ・ｓの光輝性水性インキ組成物を得た。
【００３５】
＜実施例９＞
ケルザンＡＲ（キサンタンガム、三晶（株）製）                ０．２重量％
ＢＧ３８１０（ウェランガム、三晶（株）製）                  ０．３重量％
エルジーｎｅｏ  Ｂ−ＧＯＬＤ  ＃３２５（金属被覆フィルム粉光輝性顔料、尾池工業（株）製）                                                  ０．５重量％
エルジーｎｅｏ  ＲＥＤ  ＃３２５（金属被覆フィルム粉光輝性顔料、尾池工業（株）製）                                                        ３．５重量％
ウォーターレッド１（Ｃ．Ｉ．アシッドレッド１８、オリエント化学工業（株）製）                                                              ０．１１重量％
ウォーターイエロー６Ｃ（Ｃ．Ｉ．アシッドイエロー４２、オリエント化学工業（株）                                                            １．３３重量％
ダイワブルーＮｏ．１（Ｃ．Ｉ．アシッドブルー９、ダイワ化成（株）製）
０．０２重量％
グリセリン                                                  ８．５重量％
アミソフトＬＳ−１１（Ｎ−ラウロイル−Ｌ−グルタミン酸ナトリウム、味の素ヘルシーサプライ（株）製）                                          １．０重量％
プロクセルＧＸＬ（Ｓ）（１，２−ベンゾイソチアザリン−３−オンを含む防腐防黴剤、有効成分２０％、アーチ・ケミカル・ジャパン（株）製）        ０．２重量％
サンアイバックソジウムオマジン（２−ピリジンチオール−１−オキサイド・ナトリウム塩を含有する防腐防黴剤、有効成分４０％、三愛石油（株）製）
０．３重量％
１０％水酸化ナトリウム水溶液                                ０．８重量％
イオン交換水                                            ８３．２４重量％
上記成分の内、ケルザンＡＲの全量とイオン交換水１５．０重量％とを１時間攪拌してケルザンＡＲ水溶液を作製し、また、ＢＧ３８１０の全量とイオン交換水１５．０重量％とを１時間攪拌してＢＧ３８１０水溶液を作製した。次いで、残りの配合物の全量とケルザンＡＲ水溶液とＢＧ３８１０水溶液とをホモディスパーにて２時間攪拌して、ｐＨ８．８、粘度３５６０ｍＰａ・ｓの光輝性水性インキ組成物を得た。
【００３６】
＜比較例１＞
ケルザンＡＲ（キサンタンガム、三晶（株）製）                ０．２重量％
ＢＧ３８１０（ウェランガム、三晶（株）製）                  ０．３重量％
エルジーｎｅｏ  ＢＬＵＥ  ＃３２５（金属被覆フィルム粉光輝性顔料、尾池工業（株）製）                                                        ３．０重量％
エルジーｎｅｏ  ＳＩＬＶＥＲ  ＃３２５（金属被覆フィルム粉光輝性顔料、尾池工業（株）製）                                                  １．０重量％
ウォーターブラック２５６Ｌ（黒色染料、オリエント化学工業（株）製）
０．２重量％
グリセリン                                                  ８．５重量％
アミソフトＣＳ−１１（Ｎ−ヤシ油脂肪酸アシル−Ｌ−グルタミン酸ナトリウム、味の素ヘルシーサプライ（株）製）                                  １．０重量％
プロクセルＧＸＬ（Ｓ）（１，２−ベンゾイソチアザリン−３−オンを含む防腐防黴剤、有効成分２０％、アーチ・ケミカル・ジャパン（株）製）        ０．２重量％
サンアイバックソジウムオマジン（２−ピリジンチオール−１−オキサイド・ナトリウム塩を含有する防腐防黴剤、有効成分４０％、三愛石油（株）製）
０．３重量％
１０％水酸化ナトリウム水溶液                                ０．８重量％
イオン交換水                                              ８４．５重量％
上記成分の内、ケルザンＡＲの全量とイオン交換水１５．０重量％とを１時間攪拌してケルザンＡＲ水溶液を作製し、また、ＢＧ３８１０の全量とイオン交換水１５．０重量％とを１時間攪拌してＢＧ３８１０水溶液を作製した。次いで、残りの配合物の全量とケルザンＡＲ水溶液とＢＧ３８１０水溶液とをホモディスパーにて２時間攪拌して、ｐＨ８．２、粘度３５００ｍＰａ・ｓの光輝性水性インキ組成物を得た。
【００３７】
＜比較例２＞
ケルザンＡＲ（キサンタンガム、三晶（株）製）                ０．２重量％
ＢＧ３８１０（ウェランガム、三晶（株）製）                  ０．３重量％
エルジーｎｅｏ  ＧＲＥＥＮ  ＃３２５（金属被覆フィルム粉光輝性顔料、尾池工業（株）製）                                                  １．５重量％
エルジーｎｅｏ  ＣＯＰＰＥＲ  ＃３２５（金属被覆フィルム粉光輝性顔料、尾池工業（株）製）                                                  ２．５重量％
ウォーターブラック２５６Ｌ（黒色染料、オリエント化学工業（株）製）
０．２重量％
グリセリン                                                  ８．５重量％
アミソフトＣＳ−１１（Ｎ−ヤシ油脂肪酸アシル−Ｌ−グルタミン酸ナトリウム、味の素ヘルシーサプライ（株）製）                                  １．０重量％
アミソフトＬＳ−１１（Ｎ−ラウロイル−Ｌ−グルタミン酸ナトリウム、味の素ヘルシーサプライ（株）製）                                          １．０重量％
プロクセルＧＸＬ（Ｓ）（１，２−ベンゾイソチアザリン−３−オンを含む防腐防黴剤、有効成分２０％、アーチ・ケミカル・ジャパン（株）製）        ０．２重量％
サンアイバックソジウムオマジン（２−ピリジンチオール−１−オキサイド・ナトリウム塩を含有する防腐防黴剤、有効成分４０％、三愛石油（株）製）
０．３重量％
１０％水酸化ナトリウム水溶液                                ０．８重量％
イオン交換水                                              ８３．５重量％
上記成分の内、ケルザンＡＲの全量とイオン交換水１５．０重量％とを１時間攪拌してケルザンＡＲ水溶液を作製し、また、ＢＧ３８１０の全量とイオン交換水１５．０重量％とを１時間攪拌してＢＧ３８１０水溶液を作製した。次いで、残りの配合物の全量とケルザンＡＲ水溶液とＢＧ３８１０水溶液とをホモディスパーにて２時間攪拌して、ｐＨ８．６、粘度３９３０ｍＰａ・ｓの光輝性水性インキ組成物を得た。
【００３８】
インキ逆流防止組成物
ルーカントＨＣ１００（エチレンΑオレフィン、基材、三井石油化学工業（株）
製）                                                      ９４．５重量％
アエロジルＲ９７４（微粒子シリカ、ゲル化剤、日本アエロジル（株）製）
４．０重量％
レオパールＫＬ（デキストリン脂肪酸エステル、千葉製粉（株）製）
１．５重量％
上記成分を混合し、ホットスターラーで１５０℃にて２時間攪拌し逆流防止体２を得た。この逆流防止体の２５℃における粘度は４００００ｍＰａ・Ｓであった。
【００３９】
＜試験用ボールペンの作製＞
市販の水性ボールペン（Ｋ１１０−ＤＸ、ぺんてる（株）製）と同様のボールペンチップ、及びパイプ、チップホルダーを用いて、実施例１〜９及び比較例１〜２の光輝性水性インキ組成物を０．８ｇ、前記インキ逆流防止組成物を０．１ｇ直接充填した試験用ボールペンを作製した。
【００４０】
＜筆跡の評価＞
前記試験用ボールペンを、上質紙に、精機工業（株）製のＷＲＩＴＩＮＧ  ＴＥＳＴＥＲ  ＴＳ−４Ｃ−１０を用いて、筆記角度７０°、筆記速度７ｃｍ／ｓ、筆記荷重９８１ｍＮ、ペン自転の条件で１周約１０ｃｍの螺旋筆記にて筆記し、得られた筆記線について、色相の変化を目視で評価した。色相の目視評価は、前記の筆記線に対して垂直真上の方向から光を当てた状況で、それぞれ光の照射方向に対して０°（照射方向と同じ）、４５°から目視し、マンセルの表色系の２０の色相環において最も近似する色表に当てはめた時の色相を得た。また、色相変化は、照射方向に対して０°（照射方向と同じ）から４５°まで連続的に変化させ目視にて確認した。なお、測定で用いた上質紙は北越紀州製紙社製キンマリＳＷ（米坪：８４．５±３［ｇ／ｍ２］、紙厚：９５±３［μｍ］、平滑度（Ｆ面）：６５±２０［秒］、平滑度（Ｗ面）：６０±２０［秒］）である。
【００４１】
実施例１は、光の照射方向に対して０°から目視した時、マンセルの表色系の２０の色相環において、黄色と近似した１０Ｙの色相となり、また、４５°から目視した時、マンセルの表色系の２０の色相環において、青色と近似した１０Ｂの色相となり色相は離れているがシームレスな色相変化が見られた。
【００４２】
実施例２は、光の照射方向に対して０°から目視した時、マンセルの表色系の２０の色相環において、赤色と近似した５Ｒの色相となり、また、４５°から目視した時、マンセルの表色系の２０の色相環において、緑色と近似した５Ｇの色相となり色相は離れているがシームレスな色相変化が見られた。
【００４３】
実施例３は、光の照射方向に対して０°から目視した時、マンセルの表色系の２０の色相環において、青色と近似した５Ｂの色相となり、また、４５°から目視した時、マンセルの表色系の２０の色相環において、赤色と近似した５Ｒの色相となり色相は離れているがシームレスな色相変化が見られた。
【００４４】
実施例４は、光の照射方向に対して０°から目視した時、マンセルの表色系の２０の色相環において、緑色と近似した５Ｇの色相となり、また、４５°から目視した時、マンセルの表色系の２０の色相環において、オレンジ色と近似した５ＹＲの色相となり色相は離れているがシームレスな色相変化が見られた。
【００４５】
実施例５は、光の照射方向に対して０°から目視した時、マンセルの表色系の２０の色相環において、紫色と近似した５Ｐの色相となり、また、４５°から目視した時、マンセルの表色系の２０の色相環において、赤紫色と近似した１０Ｐの色相となりシームレスな色相変化が見られた。
【００４６】
実施例６は、光の照射方向に対して０°から目視した時、マンセルの表色系の２０の色相環において、青緑と近似した５Ｂの色相となり、となり、また、４５°から目視した時、マンセルの表色系の２０の色相環において、オレンジ色と近似した５ＹＲの色相となりシームレスな色相変化が見られた。
【００４７】
実施例７は、光の照射方向に対して０°から目視した時、マンセルの表色系の２０の色相環において、桃色と近似した１０ＲＰの色相となり、また、４５°から目視した時、マンセルの表色系の２０の色相環において、緑色と近似した５ＧＹの色相となり色相は離れているがシームレスな色相変化が見られた。
【００４８】
実施例８は、光の照射方向に対して０°から目視した時、マンセルの表色系の２０の色相環において、黄緑色と近似した１０ＧＹの色相となり、また、４５°から目視した時、マンセルの表色系の２０の色相環において、青紫色と近似した１０ＰＢの色相となり色相は離れているがシームレスな色相変化が見られた。
【００４９】
実施例９は、光の照射方向に対して０°から目視した時、マンセルの表色系の２０の色相環において、黄土色と近似した１０ＹＲの色相となり、また、４５°から目視した時、マンセルの表色系の２０の色相環において、赤色と近似した５ＹＲの色相の色相となりシームレスな色相変化が見られた。
【００５０】
以上、本発明は光輝性顔料の色相と、前記インキ組成物から光輝性顔料を除いた染料インキ組成物の色相とが、筆跡において、光輝性顔料と下地の染料インキ組成物による着色部分との境界部分の色相が強く認識されず、連続した色相の変化として視認され、あわせて光輝性顔料による視角によって反射光量が連続的に変化することが、反射光を透過する染料の着色作用によって相乗的に混合されて認識され、視角を変えることによってシームレスに変化する色調を楽しめるものである。